(57)【要約】【課題】包装すべき硬貨の表面の損傷および包装紙の破損を確実に防止することができ、所定枚数の集積硬貨を、所望のように、包装紙によって、包装することができる硬貨包装機を提供する。【解決手段】所定枚数の集積硬貨Ｃに、集積硬貨の高さより幅の大きい包装紙１７を、集積硬貨の上下に加締めることのできる加締め部分１７ａ、１７ｂが残るように巻回する複数の包装ローラ１６と、複数の包装ローラを回転させる包装ローラモータ８１と、包装紙の先端部を、複数の包装ローラと集積硬貨との間に送り込む包装紙供給モータ８３と、略鉛直方向に移動可能で、互いに近接するように移動して、集積硬貨をその間に挟持し、包装紙の前記加締め部分を加締める上方加締爪２５と下方加締爪２６と、包装ローラモータ、包装紙供給モータ、上方加締爪および下方加締爪の駆動を制御する制御手段７０を備え、制御手段が、集積硬貨に、上方加締爪および下方加締爪が当接している間は、包装ローラモータの駆動を停止させるように、包装ローラモータの駆動を制御するように構成された硬貨包装機。【選択図】　　　図２
2004075074.tif 000002
【特許請求の範囲】
【請求項１】
所定枚数の集積硬貨に、前記集積硬貨の高さより幅の大きい包装紙を、前記集積硬貨の上下に加締めることのできる加締め部分が残るように巻回する複数の包装ローラと、前記複数の包装ローラを回転させる包装ローラモータと、包装紙の先端部を、前記複数の包装ローラと、前記集積硬貨との間に送り込む包装紙供給モータと、略鉛直方向に移動可能で、互いに近接するように移動して、前記集積硬貨をその間に挟持し、前記包装紙の前記加締め部分を加締める上方加締爪と下方加締爪と、前記包装ローラモータ、前記包装紙供給モータ、前記上方加締爪および前記下方加締爪の駆動を制御する制御手段を備えた硬貨包装機において、前記制御手段が、前記集積硬貨に、前記上方加締爪および前記下方加締爪が当接している間は、前記包装ローラモータの駆動を停止させるように、前記包装ローラモータの駆動を制御するように構成されたことを特徴とする硬貨包装機。
【請求項２】
前記上方加締爪および前記下方加締爪が、前記集積硬貨に当接するタイミングで、前記制御手段が、前記包装ローラモータの駆動を停止させるように構成されたことを特徴とする請求項１に記載の硬貨包装機。
【請求項３】
さらに、前記上方加締爪および前記下方加締爪の少なくとも一方の位置を検出する加締爪位置検出手段を備え、前記上方加締爪および前記下方加締爪の少なくとも一方が、前記集積硬貨に当接して、停止したことを、前記加締爪位置検出手段が検出したときに、前記制御手段が、前記包装ローラモータの駆動を停止させるように構成されたことを特徴とする請求項２に記載の硬貨包装機。
【請求項４】
前記加締爪位置検出手段が、前記上方加締爪が固定された上方加締爪アームと、前記下方加締爪が固定された下方加締爪アームの位置を検出するロータリーエンコーダによって構成されたことを特徴とする請求項３に記載の硬貨包装機。
【請求項５】
さらに、前記上方加締爪が固定された上方加締爪アームと、前記下方加締爪が固定された下方加締爪アームと、互いに連結された一対の加締爪カムと、前記一対の加締爪カムの一方のカムローブに当接するカムフォロアを支持するとともに、前記上方加締爪アームの下面に当接するローラを、一端部に備え、前記一対の加締爪カムの一方によって、他端部に設けられた軸まわりに揺動されて、前記上方加締爪アームを略鉛直方向に移動させる上方揺動アームと、前記一対の加締爪カムの他方のカムローブに当接するカムフォロアを支持するとともに、前記下方加締爪アームの上面に当接するローラを、一端部に備え、前記一対の加締爪カムの他方によって、他端部に設けられた軸まわりに揺動されて、前記下方加締爪アームを略鉛直方向に移動させる下方揺動アームを備え、前記加締爪位置検出手段が、前記下方揺動アームの前記軸の回転角度を検出するロータリーエンコーダによって構成されたことを特徴とする請求項３に記載の硬貨包装機。
【請求項６】
遅くとも、前記上方加締爪および前記下方加締爪が、前記集積硬貨から離間する際に、前記包装ローラモータの駆動を再開させるように、前記制御手段が、前記包装ローラモータの駆動を制御するように構成されたことを特徴とする請求項３ないし５のいずれか１項に記載の硬貨包装機。
【請求項７】
さらに、前記上方加締爪が固定された上方加締爪アームと、前記下方加締爪が固定された下方加締爪アームと、互いに連結された一対の加締爪カムと、前記一対の加締爪カムの一方のカムローブに当接するカムフォロアを支持するとともに、前記上方加締爪アームの下面に当接するローラを、一端部に備え、前記一対の加締爪カムの一方によって、他端部に設けられた軸まわりに揺動されて、前記上方加締爪アームを略鉛直方向に移動させる上方揺動アームと、前記一対の加締爪カムの他方のカムローブに当接するカムフォロアを支持するとともに、前記下方加締爪アームの上面に当接するローラを、一端部に備え、前記一対の加締爪カムの他方によって、他端部に設けられた軸まわりに揺動されて、前記下方加締爪アームを略鉛直方向に移動させる下方揺動アームと、前記一対の加締爪カムの回転角度を検出するカム回転角検出手段を備え、前記上方加締爪および前記下方加締爪が、前記集積硬貨に当接するタイミングが、基準角度だけ、前記一対の加締爪カムが回転したことを、前記カム回転角検出手段が検出したタイミングとして、決定されたことを特徴とする請求項２に記載の硬貨包装機。
【請求項８】
さらに、前記上方加締爪が固定された上方加締爪アームと、前記下方加締爪が固定された下方加締爪アームと、互いに連結された一対の加締爪カムと、前記一対の加締爪カムの一方のカムローブに当接するカムフォロアを支持するとともに、前記上方加締爪アームの下面に当接するローラを、一端部に備え、前記一対の加締爪カムの一方によって、他端部に設けられた軸まわりに揺動されて、前記上方加締爪アームを略鉛直方向に移動させる上方揺動アームと、前記一対の加締爪カムの他方のカムローブに当接するカムフォロアを支持するとともに、前記下方加締爪アームの上面に当接するローラを、一端部に備え、前記一対の加締爪カムの他方によって、他端部に設けられた軸まわりに揺動されて、前記下方加締爪アームを略鉛直方向に移動させる下方揺動アームと、前記上方揺動アームの前記軸の回転角度を検出するアーム回転角検出手段を備え、前記上方加締爪および前記下方加締爪が、前記集積硬貨に当接するタイミングが、基準角度だけ、前記上方揺動アームが回転したことを、前記アーム回転角検出手段が検出したタイミングとして、決定されたことを特徴とする請求項２に記載の硬貨包装機。
【請求項９】
前記基準角度が、包装すべき硬貨の金種ごとに定められたことを特徴とする請求項７または８に記載の硬貨包装機。
【請求項１０】
前記上方加締爪および前記下方加締爪が、所定枚数の厚さが最小の硬貨が集積されたときの集積硬貨の高さ以下に、接近可能に構成され、前記一対の加締爪カムの回転角が、前記上方加締爪および前記下方加締爪が、所定枚数の厚さが最小の硬貨が集積されたときの集積硬貨の高さ以下に、接近すべき回転角になるまで、前記包装ローラモータの駆動を停止させるように、前記制御手段が、前記包装ローラモータの駆動を制御するように構成されたことを特徴とする請求項７ないし９のいずれか１項に記載の硬貨包装機。
【請求項１１】
前記上方加締爪および前記下方加締爪が、所定枚数から１枚を減じた枚数の厚さが最小の厚さが最小の硬貨が集積されたときの集積硬貨の高さ以下に、接近可能に構成され、前記一対の加締爪カムの回転角が、前記上方加締爪および前記下方加締爪が、所定枚数から１枚を減じた枚数の厚さが最小の硬貨が集積されたときの集積硬貨の高さ以下に、接近すべき回転角になるまで、前記包装ローラモータの駆動を停止させるように、前記制御手段が、前記包装ローラモータの駆動を制御するように構成されたことを特徴とする請求項１０に記載の硬貨包装機。
【発明の詳細な説明】
【０００１】
【発明の属する技術分野】
本発明は、硬貨包装機に関するものであり、さらに詳細には、包装すべき硬貨の表面の損傷および包装紙の破損を確実に防止することができ、所定枚数の集積硬貨を、所望のように、包装紙によって、包装することができる硬貨包装機に関するものである。
【０００２】
【従来の技術】
硬貨包装機は、通常、投入された硬貨の真偽、金種を判別するとともに、包装すべき金種の硬貨の枚数を計数し、包装すべき硬貨を、所定枚数づつ、硬貨集積部に送って、ロール状に集積し、所定枚数のロール状集積硬貨を、さらに、硬貨包装部に送って、支持棒により支持しつつ、３本の包装ローラによって、挟持して、回転させ、その周囲に、集積硬貨の高さより大きい幅を有する包装紙を、集積硬貨の上下に加締め部分を残すように、巻回し、上下に間隔をおいて配置された一対の上方加締爪および下方加締爪を互いに近接移動させることによって、集積硬貨の上下の包装紙の加締め部分を加締めて、所定枚数の硬貨を包装し、一本の包装硬貨ロールを生成するように構成されている。
【０００３】
一般に、上方加締爪および下方加締爪は、カムを１回転させることによって、近接され、離間されて、加締め動作を完了するように、構成されており、したがって、包装すべき硬貨のうち、厚さが最も小さい所定枚数の集積硬貨の上下の包装紙の加締め部分を加締めるときに、上方加締爪および下方加締爪の移動距離が最大になるため、包装すべき硬貨のうち、厚さが最も小さい所定枚数の集積硬貨の上下の包装紙の加締め部分を確実に加締めることができるように、上方加締爪および下方加締爪を移動させるカムの形状が決定されている。
【０００４】
一方、従来の硬貨包装機にあっては、３本の包装ローラは、上方加締爪および下方加締爪によって、集積硬貨の上下の包装紙の加締め部分が加締められ、上方加締爪および下方加締爪が離間して、それぞれ、所定の位置に達するまで、回転され、上方加締爪および下方加締爪が離間し、それぞれ、所定の位置に達した時点で、その回転が停止されるように構成されている。
【０００５】
【発明が解決しようとする課題】
そのため、従来の硬貨包装機にあっては、厚さが最も小さい硬貨以外の集積硬貨の上下の包装紙の加締め部分を加締める場合には、上方加締爪が集積硬貨のうちの最上の硬貨の上面に当接し、下方加締爪が集積硬貨のうちの最下の硬貨の下面に当接した状態で、集積硬貨が回転されることになり、その結果、硬貨の表面が、上方加締爪および下方加締爪によって、傷つけられ、さらには、包装紙が破れて、所望のように、集積硬貨の包装ができないという問題があった。
【０００６】
したがって、本発明は、包装すべき硬貨の表面の損傷および包装紙の破損を確実に防止することができ、所定枚数の集積硬貨を、所望のように、包装紙によって、包装することができる硬貨包装機を提供することを目的とするものである。
【０００７】
【課題を解決するための手段】
本発明のかかる目的は、所定枚数の集積硬貨に、前記集積硬貨の高さより幅の大きい包装紙を、前記集積硬貨の上下に加締めることのできる加締め部分が残るように巻回する複数の包装ローラと、前記複数の包装ローラを回転させる包装ローラモータと、包装紙の先端部を、前記複数の包装ローラと、前記集積硬貨との間に送り込む包装紙供給モータと、略鉛直方向に移動可能で、互いに近接するように移動して、前記集積硬貨をその間に挟持し、前記包装紙の前記加締め部分を加締める上方加締爪と下方加締爪と、前記包装ローラモータ、前記包装紙供給モータ、前記上方加締爪および前記下方加締爪の駆動を制御する制御手段を備えた硬貨包装機において、前記制御手段が、前記集積硬貨に、前記上方加締爪および前記下方加締爪が当接している間は、前記包装ローラモータの駆動を停止させるように、前記包装ローラモータの駆動を制御するように構成されたことを特徴とする硬貨包装機によって達成される。
【０００８】
本発明によれば、硬貨包装機は、所定枚数の集積硬貨に、集積硬貨の高さより幅の大きい包装紙を、集積硬貨の上下に加締めることのできる加締め部分が残るように巻回する複数の包装ローラと、複数の包装ローラを回転させる包装ローラモータと、包装紙の先端部を、複数の包装ローラと、集積硬貨との間に送り込む包装紙供給モータと、略鉛直方向に移動可能で、互いに近接するように移動して、集積硬貨をその間に挟持し、包装紙の加締め部分を加締める上方加締爪と下方加締爪と、包装ローラモータ、包装紙供給モータ、上方加締爪および下方加締爪の駆動を制御する制御手段を備え、制御手段が、集積硬貨に、上方加締爪および下方加締爪が当接している間は、包装ローラモータの駆動を停止させるように、包装ローラモータの駆動を制御するように構成されているから、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【０００９】
また、本発明によれば、硬貨包装機の機構に変更を加えることなく、硬貨包装機の動作を制御する制御プログラムを変更するだけで、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００１０】
本発明の好ましい実施態様においては、前記上方加締爪および前記下方加締爪が、前記集積硬貨に当接するタイミングで、前記制御手段が、前記包装ローラモータの駆動を停止させるように構成されている。
【００１１】
本発明の好ましい実施態様によれば、上方加締爪および下方加締爪が、集積硬貨に当接するタイミングで、制御手段が、包装ローラモータの駆動を停止させるように構成されているから、上方加締爪が、集積硬貨のうちの最上の硬貨の上面に当接し、下方加締爪が、集積硬貨のうちの最下の硬貨の下面に当接した状態で、包装ローラが回転されて、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００１２】
本発明の好ましい実施態様においては、さらに、前記上方加締爪および前記下方加締爪の少なくとも一方の位置を検出する加締爪位置検出手段を備え、前記上方加締爪および前記下方加締爪の少なくとも一方が、前記集積硬貨に当接して、停止したことを、前記加締爪位置検出手段が検出したときに、前記制御手段が、前記包装ローラモータの駆動を停止させるように構成されている。
【００１３】
本発明の好ましい実施態様によれば、硬貨包装機は、さらに、上方加締爪および下方加締爪の少なくとも一方の位置を検出する加締爪位置検出手段を備え、上方加締爪および下方加締爪の少なくとも一方が、集積硬貨に当接して、停止したことを、加締爪位置検出手段が検出したときに、制御手段が、包装ローラモータの駆動を停止させるように構成されているから、上方加締爪が、集積硬貨のうちの最上の硬貨の上面に当接し、下方加締爪が、集積硬貨のうちの最下の硬貨の下面に当接して、停止した状態で、包装ローラが回転されて、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００１４】
また、本発明の好ましい実施態様によれば、硬貨包装機は、さらに、上方加締爪および下方加締爪の少なくとも一方の位置を検出する加締爪位置検出手段を備えているから、加締爪位置検出手段によって、上方加締爪および下方加締爪の少なくとも一方が停止した位置を検出することによって、集積硬貨の枚数が、包装すべき枚数に過不足があることを確実に検出することができ、したがって、所定枚数の硬貨を含む集積硬貨のみを包装して、つねに、所望の枚数の硬貨よりなる包装硬貨ロールを生成することが可能になる。
【００１５】
本発明のさらに好ましい実施態様においては、前記加締爪位置検出手段が、前記上方加締爪が固定された上方加締爪アームおよび前記下方加締爪が固定された下方加締爪アームの位置を検出するロータリーエンコーダによって構成されている。
【００１６】
本発明のさらに好ましい実施態様によれば、加締爪位置検出手段が、上方加締爪が固定された上方加締爪アームおよび下方加締爪が固定された下方加締爪アームの位置を検出するロータリーエンコーダによって構成されているから、上方加締爪が、集積硬貨のうちの最上の硬貨の上面に当接し、下方加締爪が、集積硬貨のうちの最下の硬貨の下面に当接して、停止した状態で、包装ローラが回転されて、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００１７】
また、本発明のさらに好ましい実施態様によれば、ロータリーエンコーダにより、上方加締爪および下方加締爪の少なくとも一方が停止した位置を検出することによって、集積硬貨の枚数が、包装すべき枚数に過不足があることを確実に検出することができ、したがって、所定枚数の硬貨を含む集積硬貨のみを包装して、つねに、所望の枚数の硬貨よりなる包装硬貨ロールを生成することが可能になる。
【００１８】
本発明の別の好ましい実施態様においては、硬貨包装機は、さらに、前記上方加締爪が固定された上方加締爪アームと、前記下方加締爪が固定された下方加締爪アームと、互いに連結された一対の加締爪カムと、前記一対の加締爪カムの一方のカムローブに当接するカムフォロアを支持するとともに、前記上方加締爪アームの下面に当接するローラを、一端部に備え、前記一対の加締爪カムの一方によって、他端部に設けられた軸まわりに揺動されて、前記上方加締爪アームを略鉛直方向に移動させる上方揺動アームと、前記一対の加締爪カムの他方のカムローブに当接するカムフォロアを支持するとともに、前記下方加締爪アームの上面に当接するローラを、一端部に備え、前記一対の加締爪カムの他方によって、他端部に設けられた軸まわりに揺動されて、前記下方加締爪アームを略鉛直方向に移動させる下方揺動アームを備え、前記加締爪位置検出手段が、前記下方揺動アームの前記軸の回転角度を検出するロータリーエンコーダによって構成されている。
【００１９】
本発明の別の好ましい実施態様によれば、加締爪位置検出手段が、下方揺動アームの軸の回転を検出するロータリーエンコーダによって構成され、下方揺動アームは、下方加締爪が、集積硬貨のうちの最下の硬貨の下面に当接すると、一端部に設けられたローラが、下方加締爪アームの上面に当接して、揺動を停止するから、ロータリーエンコーダによって、上方加締爪が、集積硬貨のうちの最上の硬貨の上面に当接し、下方加締爪が、集積硬貨のうちの最下の硬貨の下面に当接して、停止したことを確実に検出することができ、したがって、上方加締爪が、集積硬貨のうちの最上の硬貨の上面に当接し、下方加締爪が、集積硬貨のうちの最下の硬貨の下面に当接して、停止した状態で、包装ローラが回転されて、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００２０】
また、本発明の別の好ましい実施態様によれば、ロータリーエンコーダによって、下方加締爪が停止した位置を検出することにより、集積硬貨の枚数が、包装すべき枚数に過不足があることを確実に検出することができ、したがって、所定枚数の硬貨を含む集積硬貨のみを包装して、つねに、所望の枚数の硬貨よりなる包装硬貨ロールを生成することが可能になる。
【００２１】
本発明のさらに好ましい実施態様においては、遅くとも、前記上方加締爪および前記下方加締爪が、前記集積硬貨から離間する際に、前記包装ローラモータの駆動を再開させるように、前記制御手段が、前記包装ローラモータの駆動を制御するように構成されている。
【００２２】
加締め動作完了後に、包装ローラを停止させた状態で、上方加締爪および下方加締爪を離間させるときは、上方加締爪および下方加締爪によって、加締められた包装紙の加締め部分が、加締められる前の状態に復帰することがあるが、本発明のさらに好ましい実施態様によれば、遅くとも、上方加締爪および下方加締爪が、集積硬貨から離間する際に、包装ローラモータの駆動を再開させるように、制御手段が、包装ローラモータの駆動を制御するように構成されているから、上方加締爪および下方加締爪によって、加締められた包装紙の加締め部分が、加締められる前の状態に復帰することを効果的に防止することが可能になる。
【００２３】
本発明の好ましい実施態様においては、硬貨包装機は、さらに、前記上方加締爪が固定された上方加締爪アームと、前記下方加締爪が固定された下方加締爪アームと、互いに連結された一対の加締爪カムと、前記一対の加締爪カムの一方のカムローブに当接するカムフォロアを支持するとともに、前記上方加締爪アームの下面に当接するローラを一端部に備え、前記一対の加締爪カムの一方によって、他端部に設けられた軸まわりに揺動されて、前記上方加締爪アームを略鉛直方向に移動させる上方揺動アームと、前記一対の加締爪カムの他方のカムローブに当接するカムフォロアを支持するとともに、前記下方加締爪アームの上面に当接するローラを一端部に備え、前記一対の加締爪カムの他方によって、他端部に設けられた軸まわりに揺動されて、前記下方加締爪アームを略鉛直方向に移動させる下方揺動アームと、前記一対の加締爪カムの回転角度を検出するカム回転角検出手段を備え、前記上方加締爪および前記下方加締爪が、前記集積硬貨に当接するタイミングが、基準角度だけ、前記一対の加締爪カムが回転したことを、前記カム回転角検出手段が検出したタイミングとして、決定されるように構成されている。
【００２４】
本発明のさらに好ましい実施態様によれば、硬貨包装機は、さらに、上方加締爪が固定された上方加締爪アームと、下方加締爪が固定された下方加締爪アームと、互いに連結された一対の加締爪カムと、一対の加締爪カムの一方のカムローブに当接するカムフォロアを支持するとともに、上方加締爪アームの下面に当接するローラを一端部に備え、一対の加締爪カムの一方によって、他端部に設けられた軸まわりに揺動されて、上方加締爪アームを略鉛直方向に移動させる上方揺動アームと、一対の加締爪カムの他方のカムローブに当接するカムフォロアを支持するとともに、下方加締爪アームの上面に当接するローラを一端部に備え、一対の加締爪カムの他方によって、他端部に設けられた軸まわりに揺動されて、下方加締爪アームを略鉛直方向に移動させる下方揺動アームと、一対の加締爪カムの回転角度を検出するカム回転角検出手段を備え、上方加締爪および下方加締爪が、集積硬貨に当接するタイミングが、基準角度だけ、一対の加締爪カムが回転したことを、カム回転角検出手段が検出したタイミングとして、決定されるように構成されているから、上方加締爪が、集積硬貨のうちの最上の硬貨の上面に当接し、下方加締爪が、集積硬貨のうちの最下の硬貨の下面に当接した状態で、包装ローラが回転されて、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００２５】
本発明の別の好ましい実施態様においては、硬貨包装機は、さらに、前記上方加締爪が固定された上方加締爪アームと、前記下方加締爪が固定された下方加締爪アームと、互いに連結された一対の加締爪カムと、前記一対の加締爪カムの一方のカムローブに当接するカムフォロアを支持するとともに、前記上方加締爪アームの下面に当接するローラを、一端部に備え、前記一対の加締爪カムの一方によって、他端部に設けられた軸まわりに揺動されて、前記上方加締爪アームを略鉛直方向に移動させる上方揺動アームと、前記一対の加締爪カムの他方のカムローブに当接するカムフォロアを支持するとともに、前記下方加締爪アームの上面に当接するローラを、一端部に備え、前記一対の加締爪カムの他方によって、他端部に設けられた軸まわりに揺動されて、前記下方加締爪アームを略鉛直方向に移動させる下方揺動アームと、前記上方揺動アームの前記軸の回転角度を検出するアーム回転角検出手段を備え、前記上方加締爪および前記下方加締爪が、前記集積硬貨に当接するタイミングが、基準角度だけ、前記上方揺動アームが回転したことを、前記アーム回転角検出手段が検出したタイミングとして、決定されるように構成されている。
【００２６】
本発明のさらに好ましい実施態様によれば、硬貨包装機は、さらに、上方加締爪が固定された上方加締爪アームと、下方加締爪が固定された下方加締爪アームと、互いに連結された一対の加締爪カムと、一対の加締爪カムの一方のカムローブに当接するカムフォロアを支持するとともに、上方加締爪アームの下面に当接するローラを、一端部に備え、一対の加締爪カムの一方によって、他端部に設けられた軸まわりに揺動されて、上方加締爪アームを略鉛直方向に移動させる上方揺動アームと、一対の加締爪カムの他方のカムローブに当接するカムフォロアを支持するとともに、下方加締爪アームの上面に当接するローラを、一端部に備え、一対の加締爪カムの他方によって、他端部に設けられた軸まわりに揺動されて、下方加締爪アームを略鉛直方向に移動させる下方揺動アームと、上方揺動アームの軸の回転角度を検出するアーム回転角検出手段を備え、上方加締爪および下方加締爪が、集積硬貨に当接するタイミングが、基準角度だけ、上方揺動アームが回転したことを、アーム回転角検出手段が検出したタイミングとして、決定されるように構成されているから、上方加締爪が、集積硬貨のうちの最上の硬貨の上面に当接し、下方加締爪が、集積硬貨のうちの最下の硬貨の下面に当接した状態で、包装ローラが回転されて、上方加締爪および下方加締爪によって、硬貨の表面が傷つけられることを確実に防止しつつ、集積硬貨の上下の包装紙の加締め部分を、所望のように、加締めて、包装硬貨ロールを生成することが可能になる。
【００２７】
本発明のさらに好ましい実施態様においては、前記基準角度が、包装すべき硬貨の金種ごとに定められている。
【００２８】
本発明のさらに好ましい実施態様においては、前記上方加締爪および前記下方加締爪が、所定枚数の厚さが最小の硬貨が集積されたときの集積硬貨の高さ以下に、接近可能に構成され、前記一対の加締爪カムの回転角が、前記上方加締爪および前記下方加締爪が、所定枚数の厚さが最小の硬貨が集積されたときの集積硬貨の高さ以下に、接近すべき回転角になるまで、前記包装ローラモータの駆動を停止させるように、前記制御手段が、前記包装ローラモータの駆動を制御するように構成されている。
【００２９】
本発明のさらに好ましい実施態様においては、前記上方加締爪および前記下方加締爪が、所定枚数から１枚を減じた枚数の厚さが最小の硬貨が集積されたときの集積硬貨の高さ以下に、接近可能に構成され、前記一対の加締爪カムの回転角が、前記上方加締爪および前記下方加締爪が、所定枚数から１枚を減じた枚数の厚さが最小の厚さが最小の硬貨が集積されたときの集積硬貨の高さ以下に、接近すべき回転角になるまで、前記包装ローラモータの駆動を停止させるように、前記制御手段が、前記包装ローラモータの駆動を制御するように構成されている。
【００３０】
【発明の実施の形態】
以下、添付図面に基づいて、本発明の好ましい実施態様につき、詳細に説明を加える。
【００３１】
図１は、本発明の好ましい実施態様にかかる硬貨包装機の内部機構を示す略斜視図である。
【００３２】
本実施態様にかかる硬貨包装機は、特定の金種の硬貨の包装が可能なように構成されており、図１に示されるように、硬貨投入部（図示せず）から硬貨包装機内に投入された硬貨は、搬送ベルト（図示せず）により搬送されて、回転円板１上に送られる。
【００３３】
周知のように、回転円板１の周縁部には、環状のガイド部材（図示せず）が配置され、環状のガイド部材の開口部には、硬貨選別通路２が接続されている。
【００３４】
硬貨選別通路２は、一対のガイド部材３、４と搬送ベルト５とによって形成されて、一対のガイド部材３、４の間隔は調整可能になっており、包装すべき金種の硬貨のみが、硬貨選別通路２を通過し、包装すべき金種の硬貨よりも径の大きい金種の硬貨は、回転円板１上に残留し、径の小さい金種の硬貨は、一対のガイド部材３、４の間から、落下して、回収されるように構成されている。硬貨選別通路２には、硬貨の金種を判別し、硬貨の枚数を計数するセンサ６が設けられており、硬貨選別通路２の下流端部近傍には、硬貨選別通路２内に突出し、後続硬貨の搬送を停止させるストッパ（図示せず）が設けられている。
【００３５】
硬貨選別通路４の下流側には、硬貨集積部７が設けられており、硬貨集積部７は、外表面に、硬貨を、その上面で支持するらせん状突起８が形成された一対の集積ドラム９を備えている。硬貨選別通路４内における硬貨の搬送方向に対し、一対の集積ドラム９の直上流側および直下流側には、それぞれ、硬貨が一対の集積ドラム９のらせん状突起８上に集積されるように、硬貨をガイドする硬貨ガイド部材（図示せず）が設けられており、一対の集積ドラム９の直下には、集積された硬貨を載置可能なシャッタ１０が設けられている。
【００３６】
硬貨集積部７の下方には、硬貨包装部１５が設けられており、硬貨包装部１５は３本の包装ローラ１６、１６、１６を備え、シャッタ１０の直下の待機位置、包装ローラ１６、１６、１６によって、硬貨集積部７により集積された硬貨の周囲に包装紙１７が巻回されて、硬貨の包装が実行される包装位置および包装位置の下方の退避位置との間を移動可能で、その上面で、包装すべきＭ枚の集積硬貨（Ｍは正の整数）を支持可能な硬貨支持ポスト１８を備えている。硬貨支持ポスト１８は、支持ポストモータ（図示せず）により支軸１９に沿って移動可能に構成されたアーム２０の先端部近傍に設けられている。
【００３７】
硬貨包装部１５は、さらに、包装紙１７よりなる包装紙ロール２１と、包装紙ロール２１から包装紙１７を、３本の包装ローラ１６、１６、１６の間に繰り出す包装紙供給ローラ２２と、包装紙供給ローラ２２と３本の包装ローラ１６、１６、１６との間に配置され、包装紙１７を切断するカッタ２３を備えている。ここに、カッタ２３は、包装紙供給ローラ２２と包装ローラ１６、１６、１６との間で、包装紙１７が緊張状態になったときに、包装紙１７が当接する位置に配置されている。
【００３８】
さらに、硬貨包装部１５は、包装紙１７を、包装位置に位置した硬貨支持ポスト１８上に支持された集積硬貨と、包装ローラ１６との間に案内供給する包装紙ガイド部材（図示せず）を有している。
【００３９】
包装ローラ１６、１６、１６の上方には、集積硬貨の周囲に巻回された包装紙１７の上端部近傍の加締め部分１７ａを加締める上方加締爪２５が設けられ、包装ローラ１６、１６、１６の下方には、集積硬貨の周囲に巻回された包装紙１７の下端部近傍の加締め部分１７ｂを加締める下方加締爪２６が設けられている。
【００４０】
包装ローラ１６、１６、１６の退避位置の下方には、硬貨包装部１５内で生成された包装硬貨ロールを第１のシュート（図示せず）を介して、回収する包装硬貨ロールボックス（図示せず）と、集積硬貨Ｃに含まれた硬貨枚数が包装すべき枚数Ｍに満たない包装硬貨ロールもしくは集積硬貨Ｃに含まれた硬貨枚数が包装すべき枚数Ｍを越えた包装硬貨ロールを第２のシュート（図示せず）を介して、回収する硬貨回収ボックス（図示せず）と、包装硬貨ロールを、第１のシュートあるいは第２のシュートに選択的に導くゲート（図示せず）が設けられている。ゲートは、通常、硬貨包装部１５と第１のシュートとを連通させる位置に保持されている。
【００４１】
図２は、本発明の好ましい実施態様にかかる硬貨包装機の硬貨包装部１５の略斜視図であり、図２においては、包装ローラ１６、１６、１６、支軸１９およびアーム２０は省略されている。
【００４２】
上方加締爪２５および下方加締爪２６は、それぞれ、水平方向に延びる上方加締爪アーム２８および下方加締爪アーム２９の一端部に固定されている。上方加締爪アーム２８および下方加締爪アーム２９は、その他端部近傍において、ガイドロッド３０、３１によって、上下方向に移動可能、すなわち、互いに近接あるいは離間可能に支持されている。
【００４３】
上方加締爪２５が固定されている上方加締爪アーム２８には、上下方向に延びるラック３２が固定され、他方、下方加締爪２６が固定されている下方加締爪アーム２９には、ラック３２と係合するピニオン３３が回転自在に取付けられ、ラックアンドピニオン機構を形成している。ピニオン３３には、アブソルートタイプのロータリーエンコーダ３４が連結されている。
【００４４】
図２において、３５は、ラック３２とピニオン３３との係合を保証するため、ラック３２をガイドするガイドローラである。
【００４５】
また、上方加締爪アーム２８および下方加締爪アーム２９には、プーリ４０、４１に巻回されたスプリング４２により、連結されており、上方加締爪アーム２８は下方に、下方加締爪アーム２９は上方に、スプリング４２によって、それぞれ、付勢されている。
【００４６】
上方加締爪アーム２８のガイドロッド３０、３１近傍の下面には、軸５０まわりに、鉛直面内を揺動可能な上方揺動アーム５１の先端部に取付けられたローラ５２が当接しており、上方揺動アーム５１の軸５０とローラ５２との間の上方揺動アーム５１の部分には、カムフォロア５３が回転可能に支持されている。他方、下方加締爪アーム２９のガイドロッド３０、３１近傍の上面には、軸５５まわりに、鉛直面内を揺動可能な下方揺動アーム５６の先端部に取付けられたローラ５７が当接しており、下方揺動アーム５６の軸５５とローラ５７との間の下方揺動アーム５６の部分には、カムフォロア５８が回転可能に支持されている。
【００４７】
上方揺動アーム５１に支持されたカムフォロア５３は、カム軸６０のまわりに回転可能な第一カム６１のカムローブに当接し、また、下方揺動アーム５６に支持されたカムフォロア５８は、カム軸６０のまわりに回転可能な第二カム６２のカムローブに当接し、第一カム６１および第二カム６２は互いに連結され、一体として回転するようになっている。
【００４８】
第一カム６１および第二カム６２のカムプロファイルは、厚さが最小の金種のＭ枚の集積硬貨Ｃを確実に包装することができるように決定されており、互いに１８０°隔たった位置に、カム軸６０からの距離が最大のカムローブと距離が最小のカムローブとを有し、上方揺動アーム５１のカムフォロア５３および下方揺動アーム５６のカムフォロア５８が、カム軸６０からの距離が最大のカムローブと当接しているとき、上方加締爪２５は最上位置に、下方加締爪２６は最下位置に、すなわち、それぞれの退避位置に位置し、他方、上方揺動アーム５１のカムフォロア５３および下方揺動アーム５６のカムフォロア５８が、カム軸６０からの距離が最小のカムローブと当接しているとき、上方加締爪２５は最下位置に、下方加締爪２６は最上位置に、それぞれ、位置するように設定されている。
【００４９】
しかしながら、センサ６によって検出された硬貨Ｃが所望のように硬貨集積部に集積されず、硬貨支持ポスト１８に受け渡される硬貨Ｃの枚数が包装すべき枚数Ｍよりも少なくなり、あるいは、ストッパの作動に不良があって、包装すべき枚数Ｍを越える硬貨Ｃが硬貨集積部に送られ、硬貨支持ポスト１８に受け渡される硬貨Ｃの枚数が包装すべき枚数Ｍを越える場合があり、本実施態様においては、このような場合に、集積硬貨Ｃに含まれる硬貨Ｃの過不足を検出することができるようにするため、上方加締爪２５の最下位置および下方加締爪２６の最上位置は、厚さが最小の金種のＭ枚の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されている。
【００５０】
したがって、集積硬貨Ｃが包装すべきＭ枚の硬貨Ｃよりなる場合には、包装すべき金種のいかんにかかわらず、上方揺動アーム５１のカムフォロア５３および下方揺動アーム５６のカムフォロア５８が、カム軸６０からの距離が最小のカムローブと当接する前に、上方加締爪２５は、包装すべき集積硬貨Ｃの最上の硬貨Ｃの上面に当接するとともに、下方加締爪２６は、包装すべき集積硬貨Ｃの最下の硬貨Ｃの下面に当接し、その結果、上方加締爪２５および下方加締爪２６ならびに上方加締爪アーム２８ならびに下方加締爪アーム２９は、その位置で停止して、それ以上は、移動せず、さらに、第一カム６１および第二カム６２が回転すると、上方揺動アーム５１のカムフォロア５３は、第一カム６１のカムローブに当接しているが、上方揺動アーム５１の先端部に取付けられたローラ５２は、上方加締爪アーム２８の下面から離れ、他方、下方揺動アーム５６の先端部に取付けられたローラ５７は、下方加締爪アーム２９の上面に当接しているが、カムフォロア５８は、第二カム６２のカムローブから離れるようになり、第一カム６１と上方加締爪アーム２８との上方揺動アーム５１を介しての係合および第二カム６２と下方加締爪アーム２９との下方揺動アーム５６を介しての係合は解除されるようになっている。
【００５１】
図２には、模式的に示されているが、カム軸６０と同軸上に、第一カム６１および第二カム６２とともに回転可能で、光透過孔６６が形成された円板６５が設けられており、また、それぞれ、発光素子および受光素子よりなるフォトセンサ６７、６８が設けられている。
【００５２】
フォトセンサ６７は、上方揺動アーム５１に支持されたカムフォロア５３および下方揺動アーム５６に支持されたカムフォロア５８が、第一カム６１および第二カム６２のカム軸６０からの距離が最大のカムローブと当接しているときに、すなわち、上方加締爪２５および下方加締爪２６がそれぞれの退避位置に位置しているときに、その発光素子から発せられた光を、光透過孔６６を介して、その受光素子が受光し得る位置に配置され、また、フォトセンサ６８は、上方揺動アーム５１に支持されたカムフォロア５３および下方揺動アーム５６に支持されたカムフォロア５８が、第一カム６１および第二カム６２のカム軸６０からの距離が最小のカムローブと当接しているときに、すなわち、上方加締爪２５がその最下位置に、下方加締爪２６がその最上位置に位置しているときに、その発光素子から発せられた光を、光透過孔６６を介して、その受光素子が受光し得る位置に配置され、両者は、円板６５の回転方向に対し、互いに１８０°隔たった位置に設けられている。
【００５３】
したがって、フォトセンサ６７により、上方加締爪２５および下方加締爪２６が、退避位置に位置していることを検出することができ、また、上方揺動アーム５１に支持されたカムフォロア５３が、第一カム６１のカム軸６０からの距離が最小のカムローブと当接しているときには、上方加締爪２５は、その最下位置に位置し、下方加締爪２６は、その最上位置に位置しているから、フォトセンサ６８によって、上方加締爪２５が最下位置に位置し、下方加締爪２６が最上位置に位置していることを検出することができる。
【００５４】
以上のように、上方加締爪２５および下方加締爪２６は、１つのロール状の集積硬貨Ｃを包装する際、第一カム６１および第二カム６２が１回転することにより、上方加締爪アーム２８および下方加締爪アーム２９が上下方向に移動し、上方加締爪２５が、退避位置から、最下位置に移動され、下方加締爪２６が、退避位置から、最上位置に移動される。
【００５５】
その結果、上方加締爪アーム２８に固定されたラック３２によって、下方加締爪アーム２９に回転自在に取付けられたピニオン３３は、上方加締爪２５および下方加締爪２６の上下方向の移動量に対応するだけ、回転させられる。
【００５６】
ここに、ピニオン３３に連結されたアブソルートタイプのロータリーエンコーダ３４は、その回転位置に応じて、所定のビット数のコード化された絶対位置データを出力することが可能なものであるので、ロータリーエンコーダ３４から出力される絶対位置データに基づいて、上方加締爪２５および下方加締爪２６の上下方向の移動量を検出することができる。例えば、直径２４ｍｍのピニオン３３と８ビットのロータリーエンコーダ３４を使用した場合には、０．２９ｍｍの分解能で絶対位置データを得ることが可能になる。
【００５７】
図３は、本発明の好ましい実施態様にかかる硬貨包装機の制御系、検出系および駆動系を示すブロックダイアグラムである。
【００５８】
図３に示されるように、本実施態様にかかる硬貨包装機の制御系は、硬貨包装機全体の動作を制御するコントロールユニット７０と、制御プログラムを格納するＲＯＭ７１と、種々のデータを一時的に記憶するＲＡＭ７２とを備えている。
【００５９】
また、本実施態様にかかる硬貨包装機の検出系は、硬貨Ｃの金種を判別し、硬貨Ｃの枚数を計数するセンサ６と、上方加締爪２５および下方加締爪２６の上下方向の移動量を検出するロータリーエンコーダ３４と、上方加締爪２５および下方加締爪２６が退避位置に位置していることを検出するフォトセンサ６７と、上方加締爪２５が最下位置に位置し、下方加締爪２６が最上位置に位置していることを検出するフォトセンサ６８を備えている。
【００６０】
図３に示されるように、本実施態様にかかる硬貨包装機の駆動系は、回転円板１を回転させる回転円板モータ７５と、硬貨選別通路２の搬送ベルト５を駆動する搬送ベルトモータ７６と、硬貨選別通路２の下流端部近傍に設けられたストッパを駆動するストッパソレノイド７７と、硬貨集積部７の一対の集積ドラム９を回転させる集積ドラムモータ７８と、硬貨集積部７のシャッタ１０を開閉するシャッタソレノイド７９と、硬貨支持ポスト１８を、待機位置、包装位置および退避位置との間で移動させる支持ポストモータ８０と、３本の包装ローラ１６、１６、１６を回転させる包装ローラモータ８１と、３本の包装ローラ１６、１６、１６を、包装紙１７を介して、集積硬貨Ｃを挟持する包装位置と、包装位置から離間した退避位置との間で移動させる包装ローラ移動モータ８２と、包装紙供給ローラ２２を駆動する包装紙供給モータ８３と、第一カム６１および第二カム６２をカム軸６０まわりに回転させるカムモータ８４と、包装硬貨ロールを、第１のシュートあるいは第２のシュートに選択的に導くゲートを駆動するゲートソレノイド８５を備えている。
【００６１】
本実施態様においては、包装ローラ１６、１６、１６によって挟持されたＭ枚の集積硬貨Ｃのうち、最上の硬貨Ｃの上面に、上方加締爪２５が当接し、最下の硬貨Ｃの下面に、下方加締爪２６が当接するときに、ロータリーエンコーダ３４から出力されるべき絶対位置データが、硬貨Ｃの金種ごとに、基準絶対位置データとして、ＲＯＭ７１に記憶されている。
【００６２】
以上のように構成された本発明の実施態様にかかる硬貨包装機は、以下のようにして、所定枚数Ｍの集積硬貨Ｃを包装し、包装硬貨ロールを生成する。
【００６３】
オペレータが、硬貨包装機に、包装指示信号と包装すべき硬貨Ｃの金種を特定する金種特定信号を入力すると、包装指示信号および金種特定信号は、コントロールユニット７０に入力される。
【００６４】
包装指示信号および金種特定信号を受けると、コントロールユニット７０は、まず、ＲＯＭ７１に記憶された包装すべき金種の硬貨Ｃの基準絶対位置データを読み出し、ＲＡＭ７２に記憶させる。
【００６５】
次いで、コントロールユニット７０は、回転円板モータ７５に駆動信号を出力して、回転円板１を回転させるとともに、搬送ベルトモータ７６に駆動信号を出力して、搬送ベルト５を駆動させる。
【００６６】
硬貨投入口（図示せず）から、硬貨包装機内に投入された硬貨Ｃは、搬送ベルト（図示せず）により搬送されて、回転している回転円板１上に送られる。
【００６７】
回転円板１上に送られた硬貨Ｃは、回転円板１の回転によって生ずる遠心力により、環状のガイド部材（図示せず）に沿って、環状のガイド部材の開口部から、硬貨選別通路２内に、１枚づつ、送り出される。
【００６８】
ここに、硬貨選別通路２の通路幅を決定する一対のガイド部材３、４の間隙は、包装すべき金種の硬貨Ｃよりも径の大きい硬貨Ｃが通過できないように設定されており、したがって、包装すべき金種の硬貨Ｃよりも径の大きい金種の硬貨Ｃは、回転円板１上に残留し、包装すべき金種の硬貨Ｃおよびそれよりも径の小さい硬貨Ｃのみが、硬貨選別通路２内に、１枚づつ、送り出される。
【００６９】
また、一対のガイド部材３、４の間隙は、包装すべき金種の硬貨Ｃよりも径の小さい硬貨Ｃよりも大きく設定されているため、包装すべき金種の硬貨Ｃよりも径の小さい硬貨Ｃは、一対のガイド部材３、４の間から、落下して、回収される。
【００７０】
硬貨選別通路２内に送り出された包装すべき金種の硬貨Ｃは、センサ６により、その金種が判別されるとともに、枚数が計数されて、硬貨選別通路２内を硬貨集積部７に向けて送られる。
【００７１】
センサ６の検出信号および計数信号は、コントロールユニット７０に出力され、センサ６から検出信号および計数信号を受けると、コントロールユニット７０は、センサ６の検出結果および計数結果をＲＡＭ７２に記憶させる。
【００７２】
同時に、コントロールユニット７０は、集積ドラムモータ７８に駆動信号を出力して、一対の集積ドラム９を回転させる。
【００７３】
ＲＡＭ７２に記憶されたセンサ６の検出結果および計数結果に基づき、包装すべき所定枚数Ｍの硬貨Ｃが硬貨集積部７に送られたと判定すると、コントロールユニット７０は、ストッパソレノイド７７に駆動信号を出力し、ストッパを硬貨選別通路２内に突出させて、後続硬貨Ｃが硬貨集積部７内に送られるのを防止するとともに、回転円板モータ７５および搬送ベルトモータ７６に駆動停止信号を出力して、回転円板１の回転および搬送ベルト５の駆動を停止させる。
【００７４】
同時に、コントロールユニット７０は、所定時間にわたり、集積ドラムモータ７８に駆動信号を出力するとともに、支持ポストモータ８０に駆動信号を出力して、硬貨支持ポスト１８をシャッタ１０の直下の待機位置に向けて移動させる。
【００７５】
硬貨集積部７内に送られた硬貨Ｃは、一対の集積ドラム９の外表面に形成されたらせん状突起８の上面により支持される。次々に、硬貨集積部７内に送られる硬貨Ｃは、硬貨ガイド部材（図示せず）によってガイドされつつ、集積ドラム９の回転にしたがって、らせん状突起８の上面に集積される。
【００７６】
こうして、包装すべき所定枚数Ｍの硬貨Ｃが一対の集積ドラム９のらせん状突起８の上面に集積されて、シャッタ１０の近傍まで下降すると、集積硬貨Ｃはシャッタ１０上に受け渡される。
【００７７】
ストッパソレノイド７７が駆動されてから、所定時間が経過し、集積硬貨Ｃがシャッタ１０上に受け渡され、かつ、硬貨支持ポスト１８がシャッタ１０の直下の待機位置に達したと判定すると、コントロールユニット７０は、シャッタソレノイド７９に駆動信号を出力して、シャッタ１０を開き、シャッタ１０上に載置されている集積硬貨Ｃを、待機位置に位置している硬貨支持ポスト１８の上面に受け渡させる。
【００７８】
次いで、コントロールユニット７０は、支持ポストモータ８０に駆動信号を出力して、アーム２０を支軸１９に沿って、下降させる。
【００７９】
図４は、包装紙供給モータ８３、包装ローラモータ８１および包装ローラ移動モータ８２の動作を示すタイミングチャートである。
【００８０】
図４に示されるように、集積硬貨Ｃを支持した硬貨支持ポスト１８が下降し、包装位置に達すると、時間Ｔ１において、コントロールユニット７０は、包装紙供給モータ８３に駆動信号を出力して、包装紙供給ローラ２２を、低速で、回転させ、包装紙ロール２１から、包装紙１７を送り出させる。
【００８１】
その結果、包装紙ロール２１から送り出された包装紙１７の先端部が、３本の包装ローラ１６、１６、１６と硬貨支持ポスト１８上に支持されている集積硬貨Ｃとの間に送り込まれる。
【００８２】
次いで、時間Ｔ２において、コントロールユニット７０は、包装ローラ移動モータ８２に包装信号を出力して、３本の包装ローラ１６、１６、１６を互いに近接するように、それぞれの包装位置に移動させ、硬貨支持ポスト１８上に支持された集積硬貨Ｃを、包装ローラ１６、１６、１６によって、包装紙１７を介して、挟持させる。
【００８３】
次いで、時間Ｔ３において、コントロールユニット７０は、包装ローラモータ８１に駆動信号を出力して、包装ローラ１６、１６、１６を回転させる。
【００８４】
その結果、包装ローラ１６、１６、１６によって挟持された集積硬貨Ｃの周囲に、包装紙１７が巻き付けられる。
【００８５】
次いで、時間Ｔ４において、コントロールユニット７０は、包装紙供給モータ８３に駆動停止信号を出力して、包装紙供給ローラ２２を停止させる。
【００８６】
その結果、包装紙供給ローラ２２と包装ローラ１６、１６、１６との間で、包装紙１７が緊張状態になって、カッタ２３に当接し、カッタ２３によって、包装紙１７が切断される。
【００８７】
こうして、包装ローラ１６、１６、１６の回転にともなって、包装ローラ１６、１６、１６によって挟持された集積硬貨Ｃの周囲に、包装紙１７が巻き付けられる。
【００８８】
所定の長さの包装紙１７が、たとえば、集積硬貨Ｃの外周の２倍の長さの包装紙１７が、包装紙ロール２１から、集積硬貨Ｃの周囲に供給されて、包装ローラ１６、１６、１６によって挟持された集積硬貨Ｃの周囲に巻き付けられると、コントロールユニット７０は、カムモータ８４に駆動信号を出力して、上方加締爪２５および下方加締爪２６を、集積硬貨Ｃの最上の硬貨Ｃの上面および最下の硬貨Ｃの下面に向けて、移動させる。
【００８９】
上方加締爪２５および下方加締爪２６の移動に伴って、上方加締爪２５によって、集積硬貨Ｃの周囲に巻回された包装紙１７の上端部近傍の加締め部分１７ａが加締められ、下方加締爪２６によって、包装紙１７の下端部近傍の加締め部分１７ｂが加締められる。
【００９０】
本実施態様においては、上方加締爪２５の最下位置および下方加締爪２６の最上位置が、厚さが最小の金種の（Ｍ−１）枚の集積硬貨Ｃを挟持し得る位置に設定されているから、包装ローラ１６、１６、１６によって挟持された集積硬貨Ｃに含まれている硬貨Ｃの枚数が（Ｍ−１）枚以上のときは、上方加締爪２５が、包装ローラ１６、１６、１６によって挟持されている集積硬貨Ｃの最上の硬貨Ｃの上面に当接し、下方加締爪２６が、最下の硬貨Ｃの下面に当接する。
【００９１】
上方加締爪２５が、包装ローラ１６、１６、１６によって挟持されている集積硬貨Ｃの最上の硬貨Ｃの上面に当接し、下方加締爪２６が、最下の硬貨Ｃの下面に当接すると、第一カム６１と上方加締爪アーム２８との上方揺動アーム５１を介しての係合および第二カム６２と下方加締爪アーム２９との下方揺動アーム５６を介しての係合が解除されて、上方加締爪２５および下方加締爪２６の移動が停止され、したがって、ロータリーエンコーダ３４から出力される絶対位置データが変化しなくなる。
【００９２】
そこで、本実施態様においては、コントロールユニット７０は、ロータリーエンコーダ３４から出力される絶対位置データの変化率をモニターするように構成されており、ロータリーエンコーダ３４から入力された絶対位置データの変化率がゼロになったと判定すると、時間Ｔ５において、コントロールユニット７０は、包装ローラモータ８１に駆動停止信号を出力して、包装ローラ１６、１６、１６の回転を停止させる。
【００９３】
その結果、上方加締爪２５が、集積硬貨Ｃの周囲に巻回された包装紙１７の上端部近傍の加締め部分１７ａを加締めつつ、包装ローラ１６、１６、１６によって挟持された集積硬貨Ｃのうち、最上の硬貨Ｃの上面に当接するとともに、下方加締爪２６が、包装紙１７の下端部近傍の加締め部分１７ｂを加締めつつ、包装ローラ１６、１６、１６によって挟持された集積硬貨Ｃのうち、最下の硬貨Ｃの下面に当接し、包装硬貨ロールが生成された時点で、包装ローラ１６、１６、１６が停止される。
【００９４】
本実施態様においては、上方加締爪２５の最下位置および下方加締爪２６の最上位置は、厚さが最小の金種のＭ枚の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されているから、厚さが最小の金種以外の（Ｍ−１）枚の集積硬貨Ｃが、包装ローラ１６、１６、１６によって、挟持されているとき、あるいは、包装すべき枚数であるＭ枚以上の硬貨Ｃを含む集積硬貨Ｃが、包装ローラ１６、１６、１６によって、挟持されているときは、集積硬貨Ｃのうち、最上の硬貨Ｃの上面に、上方加締爪２５が当接し、最下の硬貨Ｃの下面に、下方加締爪２６が当接しても、上方揺動アーム５１のカムフォロア５３および下方揺動アーム５６のカムフォロア５８が、カム軸６０からの距離が最小のカムローブと当接するまでの間、カムモータ８４は、駆動され続けて、第一カム６１および第二カム６２は回転されるが、上方加締爪２５が、Ｍ枚の集積硬貨Ｃのうち、最上の硬貨Ｃの上面に当接した後は、上方揺動アーム５１のカムフォロア５３は、第一カム６１のカムローブに当接していても、上方揺動アーム５１の先端部に取付けられたローラ５２が、上方加締爪アーム２８の下面から離れるため、第一カム６１と上方加締爪アーム２８との上方揺動アーム５１を介しての係合が解除され、他方、下方加締爪２６が、Ｍ枚の集積硬貨Ｃのうち、最下の硬貨Ｃの下面に当接した後は、下方揺動アーム５６の先端部に取付けられたローラ５７は、下方加締爪アーム２９の上面に当接していても、カムフォロア５８が、第二カム６２のカムローブから離れるため、第二カム６２と下方加締爪アーム２９との下方揺動アーム５６を介しての係合は解除され、上方加締爪２５は、Ｍ枚の集積硬貨Ｃのうち、最上の硬貨Ｃの上面に当接した状態に保持され、下方加締爪２６が、Ｍ枚の集積硬貨Ｃのうち、最下の硬貨Ｃの下面に当接した状態に保持される。
【００９５】
したがって、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接した後も、包装ローラ１６、１６、１６が回転され続けるときは、上方加締爪２５によって、包装ローラ１６、１６、１６によって挟持された集積硬貨Ｃのうち、最上の硬貨Ｃの上面が傷つけられ、下方加締爪２６によって、最下の硬貨Ｃの下面が傷つけられるおそれがあるが、本実施態様においては、集積硬貨Ｃのうち、最上の硬貨Ｃの上面に、上方加締爪２５が当接し、最下の硬貨Ｃの下面に、下方加締爪２６が当接した時点で、包装ローラ１６、１６、１６の回転が停止されるように構成されているから、Ｍ枚の集積硬貨Ｃの最上の硬貨Ｃの上面および最下の硬貨Ｃの下面が、上方加締爪２５および下方加締爪２６によって、傷つけられることを確実に防止することが可能になる。
【００９６】
ロータリーエンコーダ３４から入力された絶対位置データの変化率がゼロになったと判定すると、コントロールユニット７０は、同時に、ＲＡＭ７２に記憶されているその金種の硬貨Ｃの基準絶対位置データを読み出し、変化率がゼロになった時点で、ロータリーエンコーダ３４から入力された絶対位置データと比較する。
【００９７】
その結果、ロータリーエンコーダ３４から入力された絶対位置データが、ＲＡＭ７２から読み出されたその金種の硬貨Ｃの基準絶対位置データと一致しないときは、包装ローラ１６、１６、１６によって挟持された集積硬貨Ｃの枚数が、包装すべき枚数Ｍを越えているか、あるいは、包装すべき枚数Ｍに満たないかのいずれかと考えられるから、コントロールユニット７０は、ゲートソレノイド８５に駆動信号を出力して、ゲート（図示せず）を、硬貨包装部１５と第２のシュート（図示せず）とを連通させる位置に位置させる。
【００９８】
これに対して、ロータリーエンコーダ３４から入力された絶対位置データが、ＲＡＭ７２から読み出されたその金種の硬貨Ｃの基準絶対位置データと一致しているときは、包装ローラ１６、１６、１６によって、挟持されている集積硬貨Ｃに含まれている硬貨Ｃの枚数が包装すべき枚数Ｍに等しいと考えられるから、コントロールユニット７０は、何の信号も出力せず、ゲートは、硬貨包装部１５と第１のシュート（図示せず）とを連通させる位置に保持される。
【００９９】
第一カム６１および第二カム６２は、さらに、回転され、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方揺動アーム５１と下方揺動アーム５６が、反対方向に、揺動を開始する。
【０１００】
その結果、上方加締爪２５が、包装ローラ１６、１６、１６によって挟持された集積硬貨Ｃの最上の硬貨Ｃの上面から離間し始め、下方加締爪２６が、集積硬貨Ｃの最下の硬貨Ｃの下面から離間し始めると、ロータリーエンコーダ３４から出力される絶対位置データが、再び、変化し始める。
【０１０１】
ロータリーエンコーダ３４から入力された絶対位置データが、再び、変化し始めると、時間Ｔ６において、コントロールユニット７０は、包装ローラモータ８１に、駆動信号を出力して、包装ローラ１６、１６、１６を回転させる。
【０１０２】
加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様においては、上方加締爪２５および下方加締爪２６を離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０１０３】
これに対して、包装ローラ１６、１６、１６によって、挟持された集積硬貨Ｃに含まれている硬貨Ｃの枚数が（Ｍ−２）枚以下のときは、上方加締爪２５の最下位置および下方加締爪２６の最上位置が、厚さが最小の金種の（Ｍ−１）枚の集積硬貨Ｃを挟持し得る位置になるように、第一カム６１および第二カム６２のカムプロファイルが決定されているから、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接することはなく、したがって、包装ローラ１６、１６、１６の回転は停止されないまま、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方加締爪２５と下方加締爪２６とが、互いに離間し始める。
【０１０４】
上方加締爪２５および下方加締爪２６が離間を開始してから、所定の時間が経過すると、時間Ｔ７において、コントロールユニット７０は、包装ローラモータ８１に、駆動停止信号を出力して、包装ローラ１６、１６、１６の回転を停止させる。
【０１０５】
次いで、包装ローラ１６、１６、１６の回転が完全に停止した後、時間Ｔ８において、コントロールユニット７０は、支持ポストモータ８０に退避信号を出力して、硬貨支持ポスト１８を、包装ローラ１６、１６、１６の間の空間から離間した退避位置に移動させ、さらに、包装ローラ移動モータ８２に退避信号を出力して、包装ローラ１６、１６、１６を、それぞれの退避位置に移動させる。
【０１０６】
その結果、硬貨支持ポスト１８による支持および包装ローラ１６、１６、１６による包装硬貨ロールの挟持が解除され、コントロールユニット７０が、包装紙１７によって、包装された集積硬貨Ｃに所定枚数Ｍに等しい枚数の硬貨Ｃが含まれていると判定していたときは、ゲート（図示せず）が、硬貨包装部１５と第１のシュート（図示せず）を連通させる位置に保持されているから、生成された包装硬貨ロールは、第１のシュートを介して、包装硬貨ロール回収ボックス（図示せず）内に回収される。
【０１０７】
一方、コントロールユニット７０が、包装紙１７によって、包装された集積硬貨Ｃに含まれている硬貨Ｃの枚数が所定枚数Ｍに満たないか、あるいは、所定枚数Ｍを越えていると判定していたときは、ゲート（図示せず）が、硬貨包装部１５と第２のシュート（図示せず）を連通させる位置に位置させられているから、生成された硬貨枚数に過不足のある包装硬貨ロールは、第２のシュートを介して、硬貨回収ボックス（図示せず）内に回収される。
【０１０８】
カムモータ８４が、さらに、回転し、フォトセンサ６７から入力された検出信号に基づき、上方加締爪２５および下方加締爪２６が、退避位置に達したと判定すると、コントロールユニット７０は、カムモータ８４に駆動停止信号を出力して、１サイクルの集積硬貨Ｃの包装動作を完了させる。
【０１０９】
上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められつつ、上方加締爪２５および下方加締爪２６が近接し、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、包装硬貨ロールが生成された後においても、包装ローラ１６、１６、１６が回転され続けるときは、上方加締爪２５によって、Ｍ枚の集積硬貨Ｃのうち、最上の硬貨Ｃの上面が傷つけられ、下方加締爪２６によって、最下の硬貨Ｃの下面が傷つけられるおそれがあるが、本実施態様によれば、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められて、包装硬貨ロールが生成された時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０１１０】
さらに、本実施態様によれば、硬貨包装機の機構に変更を加えることなく、硬貨包装機の動作を制御する制御プログラムを変更するだけで、上方加締爪２５および下方加締爪２６によって、硬貨Ｃの表面が傷つけられることを確実に防止しつつ、集積硬貨Ｃの上下の包装紙１７の加締め部分１７ａ、１７ｂを、所望のように、加締めて、包装硬貨ロールを生成することが可能になる。
【０１１１】
また、本実施態様によれば、包装ローラ１６、１６、１６によって挟持された集積硬貨Ｃに、（Ｍ−１）枚以上の硬貨Ｃが含まれていれば、集積硬貨Ｃに含まれている硬貨Ｃの枚数が包装すべき枚数Ｍに一致していなくても、集積硬貨Ｃは包装紙１７によって、包装され、包装硬貨ロールが生成されるから、第２のシュートを介して、確実に、硬貨回収ボックス内に回収することができ、また、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接した時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０１１２】
さらに、加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様によれば、上方加締爪２５および下方加締爪２６を、集積硬貨Ｃから、離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０１１３】
また、本実施態様によれば、上方加締爪２５の最下位置および下方加締爪２６の最上位置は、包装すべき枚数Ｍに等しい枚数の厚さが最小の金種の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されるとともに、ピニオン３３にロータリーエンコーダ３４が取りつけられ、ロータリーエンコーダ３４から出力される絶対位置データに基づいて、上方加締爪２５および下方加締爪２６の上下方向の移動量を検出することができるように構成されているから、包装ローラ１６、１６、１６によって挟持された集積硬貨Ｃに含まれている硬貨の枚数の過不足を、精度良く、検出することができ、包装紙１７によって、包装ローラ１６、１６、１６によって挟持された集積硬貨Ｃを、包装することにより、包装すべきＭ枚の硬貨Ｃを含む包装硬貨ロールを、つねに、生成することが可能になる。
【０１１４】
図５は、本発明の別の好ましい実施態様にかかる硬貨包装機の制御系、検出系および駆動系を示すブロックダイアグラムである。
【０１１５】
図５に示されるように、本実施態様にかかる硬貨包装機の制御系、検出系および駆動系は、３本の包装ローラ１６、１６、１６を回転させる包装ローラモータ８１および包装紙供給ローラ２２を駆動する包装紙供給モータ８３に代えて、３本の包装ローラ１６、１６、１６および包装紙供給ローラ２２を回転させる駆動モータ８６と、駆動モータ８６の回転力を、低速と高速の２段階に、変速する変速機８７と、駆動モータ８６の回転力を、包装紙供給ローラ２２に伝達し、あるいは、包装紙供給ローラ２２への伝達を遮断するクラッチ８８と、変速機８７によって、変速された駆動モータ８６の回転力を変速して、包装紙供給ローラ２２に伝達する変速機構８９を備えている点を除いて、図３に示された硬貨包装機と同様の構成を有している。
【０１１６】
本実施態様においても、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接するときに、ロータリーエンコーダ３４から出力されるべき絶対位置データが、硬貨Ｃの金種ごとに、基準絶対位置データとして、ＲＯＭ７１に記憶されている。
【０１１７】
図６は、駆動モータ８６、包装ローラ移動モータ８２およびクラッチ８８の動作ならびに低速切換え信号および高速切換え信号の出力タイミングを示すタイミングチャートである。
【０１１８】
図６に示されるように、集積硬貨Ｃを支持した硬貨支持ポスト１８が下降し、包装位置に達すると、時間Ｔ１において、コントロールユニット７０は、駆動モータ８６に駆動信号を出力するとともに、変速機８７に低速切換え信号を出力する。この段階では、クラッチ８８は、駆動モータ８６の回転力が、包装紙供給ローラ２２に伝達されるように、変速機８７と変速機構８９とを接続している。
【０１１９】
したがって、駆動モータ８６の回転力が、変速機８７によって、低速に切り換えられ、変速機構８９を介して、包装紙供給ローラ２２に伝達されるとともに、３本の包装ローラ１６、１６、１６に伝達される。
【０１２０】
本実施態様においては、変速機構８９によって、包装紙供給ローラ２２の周速が、包装ローラ１６、１６、１６の周速に等しくなるように、駆動モータ８６の回転力が変速されるように構成されている。
【０１２１】
その結果、包装紙供給ローラ２２が、低速で、回転されて、包装紙ロール２１から、包装紙１７を送り出され、送り出された包装紙１７の先端部が、３本の包装ローラ１６、１６、１６と硬貨支持ポスト１８上に支持されている集積硬貨Ｃとの間に送り込まれるとともに、包装ローラ１６、１６、１６が、低速で、回転される。
【０１２２】
次いで、時間Ｔ２において、コントロールユニット７０は、包装ローラ移動モータ８２に包装信号を出力して、３本の包装ローラ１６、１６、１６を互いに近接するように、それぞれの包装位置に移動させ、硬貨支持ポスト１８上に支持された集積硬貨Ｃを、包装ローラ１６、１６、１６によって、包装紙１７を介して、挟持させる。
【０１２３】
次いで、時間Ｔ３において、コントロールユニット７０は、変速機８７に高速切換え信号を出力する。
【０１２４】
その結果、包装ローラ１６、１６、１６によって挟持された集積硬貨Ｃの周囲に、包装紙１７が巻き付けられる。
【０１２５】
次いで、時間Ｔ４において、コントロールユニット７０は、クラッチ８８に、切断信号を出力して、変速機８７と変速機構８９との接続を断ち、包装紙供給ローラ２２を停止させる。
【０１２６】
その結果、包装紙供給ローラ２２と包装ローラ１６、１６、１６との間で、包装紙１７が緊張状態になって、カッタ２３に当接し、カッタ２３によって、包装紙１７が切断される。
【０１２７】
こうして、包装ローラ１６、１６、１６の高速回転にともなって、包装ローラ１６、１６、１６によって挟持された集積硬貨Ｃの周囲に、包装紙１７が巻き付けられる。
【０１２８】
所定の長さの包装紙１７が、たとえば、集積硬貨Ｃの外周の２倍の長さの包装紙１７が、包装紙ロール２１から、集積硬貨Ｃの周囲に供給されて、包装ローラ１６、１６、１６によって挟持された集積硬貨Ｃの周囲に巻き付けられると、コントロールユニット７０は、カムモータ８４に駆動信号を出力して、上方加締爪２５および下方加締爪２６を、集積硬貨Ｃの最上の硬貨Ｃの上面および最下の硬貨Ｃの下面に向けて、移動させる。
【０１２９】
上方加締爪２５および下方加締爪２６の移動に伴って、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂを加締められる。
【０１３０】
本実施態様においては、上方加締爪２５の最下位置および下方加締爪２６の最上位置が、厚さが最小の金種の（Ｍ−１）枚の集積硬貨Ｃを挟持し得る位置に設定されているから、包装ローラ１６、１６、１６によって挟持された集積硬貨Ｃに含まれている硬貨Ｃの枚数が（Ｍ−１）枚以上のときは、上方加締爪２５が、包装ローラ１６、１６、１６によって挟持されている集積硬貨Ｃの最上の硬貨Ｃの上面に当接し、下方加締爪２６が、最下の硬貨Ｃの下面に当接する。
【０１３１】
上方加締爪２５が、包装ローラ１６、１６、１６によって挟持されている集積硬貨Ｃの最上の硬貨Ｃの上面に当接し、下方加締爪２６が、最下の硬貨Ｃの下面に当接すると、第一カム６１と上方加締爪アーム２８との上方揺動アーム５１を介しての係合および第二カム６２と下方加締爪アーム２９との下方揺動アーム５６を介しての係合が解除されて、上方加締爪２５および下方加締爪２６の移動が停止され、したがって、ロータリーエンコーダ３４から出力される絶対位置データが変化しなくなる。
【０１３２】
本実施態様においても、コントロールユニット７０は、ロータリーエンコーダ３４から出力される絶対位置データの変化率をモニターするように構成されており、ロータリーエンコーダ３４から入力された絶対位置データの変化率がゼロになったと判定すると、時間Ｔ５において、コントロールユニット７０は、駆動モータ８６に駆動停止信号を出力して、包装ローラ１６、１６、１６の回転を停止させる。
【０１３３】
その結果、上方加締爪２５が、集積硬貨Ｃの周囲に巻回された包装紙１７の上端部近傍の加締め部分１７ａを加締めつつ、包装ローラ１６、１６、１６によって挟持された集積硬貨Ｃのうち、最上の硬貨Ｃの上面に当接するとともに、下方加締爪２６が、包装紙１７の下端部近傍の加締め部分１７ｂを加締めつつ、包装ローラ１６、１６、１６によって挟持された集積硬貨Ｃのうち、最下の硬貨Ｃの下面に当接し、包装硬貨ロールが生成された時点で、包装ローラ１６、１６、１６が停止される。
【０１３４】
本実施態様においては、上方加締爪２５の最下位置および下方加締爪２６の最上位置は、厚さが最小の金種のＭ枚の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されているから、厚さが最小の金種以外の（Ｍ−１）枚の集積硬貨Ｃが、包装ローラ１６、１６、１６によって、挟持されているとき、あるいは、包装すべき枚数であるＭ枚以上の硬貨Ｃを含む集積硬貨Ｃが、包装ローラ１６、１６、１６によって、挟持されているときは、集積硬貨Ｃのうち、最上の硬貨Ｃの上面に、上方加締爪２５が当接し、最下の硬貨Ｃの下面に、下方加締爪２６が当接しても、上方揺動アーム５１のカムフォロア５３および下方揺動アーム５６のカムフォロア５８が、カム軸６０からの距離が最小のカムローブと当接するまでの間、カムモータ８４は、駆動され続けて、第一カム６１および第二カム６２は回転されるが、上方加締爪２５が、Ｍ枚の集積硬貨Ｃのうち、最上の硬貨Ｃの上面に当接した後は、上方揺動アーム５１のカムフォロア５３は、第一カム６１のカムローブに当接していても、上方揺動アーム５１の先端部に取付けられたローラ５２が、上方加締爪アーム２８の下面から離れるため、第一カム６１と上方加締爪アーム２８との上方揺動アーム５１を介しての係合が解除され、他方、下方加締爪２６が、Ｍ枚の集積硬貨Ｃのうち、最下の硬貨Ｃの下面に当接した後は、下方揺動アーム５６の先端部に取付けられたローラ５７は、下方加締爪アーム２９の上面に当接していても、カムフォロア５８が、第二カム６２のカムローブから離れるため、第二カム６２と下方加締爪アーム２９との下方揺動アーム５６を介しての係合は解除され、上方加締爪２５は、Ｍ枚の集積硬貨Ｃのうち、最上の硬貨Ｃの上面に当接した状態に保持され、下方加締爪２６が、Ｍ枚の集積硬貨Ｃのうち、最下の硬貨Ｃの下面に当接した状態に保持される。
【０１３５】
したがって、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接した後も、包装ローラ１６、１６、１６が回転され続けるときは、上方加締爪２５によって、包装ローラ１６、１６、１６によって挟持された集積硬貨Ｃのうち、最上の硬貨Ｃの上面が傷つけられ、下方加締爪２６によって、最下の硬貨Ｃの下面が傷つけられるおそれがあるが、本実施態様においては、集積硬貨Ｃのうち、最上の硬貨Ｃの上面に、上方加締爪２５が当接し、最下の硬貨Ｃの下面に、下方加締爪２６が当接した時点で、包装ローラ１６、１６、１６の回転が停止されるように構成されているから、Ｍ枚の集積硬貨Ｃの最上の硬貨Ｃの上面および最下の硬貨Ｃの下面が、上方加締爪２５および下方加締爪２６によって、傷つけられることを確実に防止することが可能になる。
【０１３６】
ロータリーエンコーダ３４から入力された絶対位置データの変化率がゼロになったと判定すると、コントロールユニット７０は、同時に、ＲＡＭ７２に記憶されているその金種の硬貨Ｃの基準絶対位置データを読み出し、変化率がゼロになった時点で、ロータリーエンコーダ３４から入力された絶対位置データと比較する。
【０１３７】
その結果、ロータリーエンコーダ３４から入力された絶対位置データが、ＲＡＭ７２から読み出されたその金種の硬貨Ｃの基準絶対位置データと一致しないときは、包装ローラ１６、１６、１６によって挟持された集積硬貨Ｃの枚数が、包装すべき枚数Ｍを越えているか、あるいは、包装すべき枚数Ｍに満たないかのいずれかと考えられるから、コントロールユニット７０は、ゲートソレノイド８５に駆動信号を出力して、ゲート（図示せず）を、硬貨包装部１５と第２のシュート（図示せず）とを連通させる位置に位置させる。
【０１３８】
これに対して、ロータリーエンコーダ３４から入力された絶対位置データが、ＲＡＭ７２から読み出されたその金種の硬貨Ｃの基準絶対位置データと一致しているときは、包装ローラ１６、１６、１６によって、挟持されている集積硬貨Ｃに含まれている硬貨Ｃの枚数が包装すべき枚数Ｍに等しいと考えられるから、コントロールユニット７０は、何の信号も出力せず、ゲートは、硬貨包装部１５と第１のシュート（図示せず）とを連通させる位置に保持される。
【０１３９】
第一カム６１および第二カム６２は、さらに、回転され、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方揺動アーム５１と下方揺動アーム５６が、反対方向に、揺動を開始する。
【０１４０】
その結果、上方加締爪２５が、包装ローラ１６、１６、１６によって挟持された集積硬貨Ｃの最上の硬貨Ｃの上面から離間し始め、下方加締爪２６が、集積硬貨Ｃの最下の硬貨Ｃの下面から離間し始めると、ロータリーエンコーダ３４から出力される絶対位置データが、再び、変化し始める。
【０１４１】
ロータリーエンコーダ３４から入力された絶対位置データが、再び、変化し始めると、時間Ｔ６において、コントロールユニット７０は、駆動モータ８６に、駆動信号を出力して、包装ローラ１６、１６、１６を、高速で回転させる。この時点では、クラッチ８８によって、変速機８７と変速機構８９との接続が断たれているから、包装紙供給ローラ２２は停止状態に保持される。
【０１４２】
加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様においては、上方加締爪２５および下方加締爪２６を離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０１４３】
これに対して、包装ローラ１６、１６、１６によって、挟持された集積硬貨Ｃに含まれている硬貨Ｃの枚数が（Ｍ−２）枚以下のときは、上方加締爪２５の最下位置および下方加締爪２６の最上位置が、厚さが最小の金種の（Ｍ−１）枚の集積硬貨Ｃを挟持し得る位置になるように、第一カム６１および第二カム６２のカムプロファイルが決定されているから、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接することはなく、したがって、包装ローラ１６、１６、１６の回転は停止されないまま、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方加締爪２５と下方加締爪２６とが、互いに離間し始める。
【０１４４】
上方加締爪２５および下方加締爪２６が離間を開始してから、所定の時間が経過すると、時間Ｔ７において、コントロールユニット７０は、駆動モータ８６に駆動停止信号を出力して、包装ローラ１６、１６、１６の回転を停止させる。
【０１４５】
次いで、包装ローラ１６、１６、１６の回転が完全に停止した後、時間Ｔ８において、コントロールユニット７０は、支持ポストモータ８０に退避信号を出力して、硬貨支持ポスト１８を、包装ローラ１６、１６、１６の間の空間から離間した退避位置に移動させ、さらに、包装ローラ移動モータ８２に退避信号を出力して、包装ローラ１６、１６、１６を、それぞれの退避位置に移動させる。
【０１４６】
その結果、硬貨支持ポスト１８による支持および包装ローラ１６、１６、１６による包装硬貨ロールの挟持が解除され、コントロールユニット７０が、包装紙１７によって包装された集積硬貨Ｃに所定枚数Ｍに等しい枚数の硬貨Ｃが含まれていると判定していたときは、ゲート（図示せず）が、硬貨包装部１５と第１のシュート（図示せず）を連通させる位置に保持されているから、生成された包装硬貨ロールは、第１のシュートを介して、包装硬貨ロール回収ボックス（図示せず）内に回収される。
【０１４７】
一方、コントロールユニット７０が、包装紙１７によって包装された集積硬貨Ｃに含まれている硬貨Ｃの枚数が所定枚数Ｍに満たないか、あるいは、所定枚数Ｍを越えていると判定していたときは、ゲート（図示せず）が、硬貨包装部１５と第２のシュート（図示せず）を連通させる位置に位置させられているから、生成された硬貨枚数に過不足のある包装硬貨ロールは、第２のシュートを介して、硬貨回収ボックス（図示せず）内に回収される。
【０１４８】
カムモータ８４が、さらに、回転し、フォトセンサ６７から入力された検出信号に基づき、上方加締爪２５および下方加締爪２６が、退避位置に達したと判定すると、コントロールユニット７０は、カムモータ８４に駆動停止信号を出力して、１サイクルの集積硬貨Ｃの包装動作を完了させる。
【０１４９】
上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められつつ、上方加締爪２５および下方加締爪２６が近接し、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、包装硬貨ロールが生成された後においても、包装ローラ１６、１６、１６が回転され続けるときは、上方加締爪２５によって、Ｍ枚の集積硬貨Ｃのうち、最上の硬貨Ｃの上面が傷つけられ、下方加締爪２６によって、最下の硬貨Ｃの下面が傷つけられるおそれがあるが、本実施態様によれば、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められて、包装硬貨ロールが生成された時点で、駆動モータ８６が停止されて、包装ローラ１６、１６、１６の回転が停止されるように、コントロールユニット７０によって、駆動モータ８６が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０１５０】
さらに、本実施態様によれば、硬貨包装機の機構に変更を加えることなく、硬貨包装機の動作を制御する制御プログラムを変更するだけで、上方加締爪２５および下方加締爪２６によって、硬貨Ｃの表面が傷つけられることを確実に防止しつつ、集積硬貨Ｃの上下の包装紙１７の加締め部分１７ａ、１７ｂを、所望のように、加締めて、包装硬貨ロールを生成することが可能になる。
【０１５１】
また、本実施態様によれば、包装ローラ１６、１６、１６によって挟持された集積硬貨Ｃに、（Ｍ−１）枚以上の硬貨Ｃが含まれていれば、集積硬貨Ｃに含まれている硬貨Ｃの枚数が包装すべき枚数Ｍに一致していなくても、集積硬貨Ｃは包装紙１７によって、包装され、包装硬貨ロールが生成されるから、第２のシュートを介して、確実に、硬貨回収ボックス内に回収することができ、また、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接した時点で、包装ローラ１６、１６、１６の回転が停止されるように、コントロールユニット７０によって、駆動モータ８６が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０１５２】
さらに、加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様によれば、上方加締爪２５および下方加締爪２６を、集積硬貨Ｃから、離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０１５３】
また、本実施態様によれば、上方加締爪２５の最下位置および下方加締爪２６の最上位置は、包装すべき枚数Ｍに等しい枚数の厚さが最小の金種の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されるとともに、ピニオン３３にロータリーエンコーダ３４が取りつけられ、ロータリーエンコーダ３４から出力される絶対位置データに基づいて、上方加締爪２５および下方加締爪２６の上下方向の移動量を検出することができるように構成されているから、包装ローラ１６、１６、１６によって挟持された集積硬貨Ｃに含まれている硬貨Ｃの枚数の過不足を、精度良く、検出することができ、包装紙１７によって、包装ローラ１６、１６、１６によって挟持された集積硬貨Ｃを、包装することにより、包装すべきＭ枚の硬貨Ｃを含む包装硬貨ロールを、つねに、生成することが可能になる。
【０１５４】
さらに、本実施態様によれば、包装紙１７の先端部を、３本の包装１６、１６、１６と硬貨支持ポスト１８上に支持されている集積硬貨Ｃとの間に送り込んだ後、コントロールユニット７０は、変速機８７に高速切換え信号を出力して、包装ローラ１６、１６、１６を、高速で、回転するように構成されているから、硬貨Ｃの包装処理時間を短縮し、効率的に、硬貨Ｃを包装することが可能になる。
【０１５５】
図７は、本発明の他の好ましい実施態様にかかる硬貨包装機の硬貨集積部７と硬貨包装部１５の略側面図である。
【０１５６】
図７に示されるように、硬貨集積部７のシャッタ１０と包装ローラ１６との間には、光を発し、スリット９１を介して、硬貨支持ポスト１８の上面により支持されて、硬貨支持ポスト１８の下降とともに、包装ローラ１６に向けて、下降する集積硬貨Ｃの側部に光を照射する光源９０が設けられ、さらに、光源９０から発せられ、集積硬貨Ｃの側面により反射された反射光を受光するラインセンサ９２が設けられている。
【０１５７】
また、ラインセンサ９２の前方には、その軸が水平方向に向くように配置され、集積硬貨Ｃの側面からの反射光のうち、水平方向の光のみを、ラインセンサ９２の受光素子に集光させるシリンドリカルレンズ９３が設けられている。
【０１５８】
図７においては、光源９０、スリット９１、ラインセンサ９２およびシリンドリカルレンズ９３は、便宜上、鉛直方向に異なる位置に設けられているように描かれているが、図８に示されるように、これらは、同一水平面内に設けられている。ここに、ラインセンサ９２は、水平方向に複数の受光素子を備えている。
【０１５９】
これらの光源９０、スリット９１、ラインセンサ９２およびシリンドリカルレンズ９３は、硬貨支持ポスト１８上に支持された集積硬貨Ｃに含まれている硬貨Ｃの枚数を検出するものである。
【０１６０】
図９は、上方加締爪２５を移動させる第一カム６１および下方加締爪２６を移動させる第二カム６２の回転角度検出機構の略斜視図である。
【０１６１】
本実施態様にかかる硬貨包装機の硬貨包装部１５は、図２に示されたラックアンドピニオン機構に連結されたロータリーエンコーダ３４に代えて、上方加締爪２５を移動させる第一カム６１および下方加締爪２６を移動させる第二カム６２の回転角度を検出するロータリーエンコーダ１００を備え、フォトセンサ６７、６８を備えていない点を除き、図２に示された硬貨包装機の硬貨包装部１５と同様の構成を有している。
【０１６２】
図９に示されるように、ロータリーエンコーダ１００は、円周に沿って、等角度で、規則的なパターンが形成されたディスク１０１と、ディスク１０１に形成されたパターンを読み取り、ディスク１０１の回転角を検出するセンサ１０２を備え、ディスク１０１の軸１０１ａは、カム軸６０に連結されている。
【０１６３】
したがって、ディスク１０１の回転角を検出することによって、第一カム６１および第二カム６２の回転角を検出することができる。
【０１６４】
本実施態様においては、上方揺動アーム５１に支持されたカムフォロア５３および下方揺動アーム５６に支持されたカムフォロア５８が、カム軸６０からの距離が最小のカムローブと当接しているときに、上方加締爪２５および下方加締爪２６が、包装ローラ１６、１６、１６によって挟持された厚さが最小の金種のＭ枚の集積硬貨Ｃを挟持し得る位置に位置するように、設定されている。
【０１６５】
したがって、厚さが最小の金種以外の硬貨Ｃを包装する場合には、上方揺動アーム５１のカムフォロア５３および下方揺動アーム５６のカムフォロア５８が、カム軸６０からの距離が最小のカムローブと当接する前に、上方加締爪２５は、包装すべき集積硬貨Ｃの最上の硬貨Ｃの上面に当接するとともに、下方加締爪２６は、包装すべき集積硬貨Ｃの最下の硬貨Ｃの下面に当接し、その結果、上方加締爪２５および下方加締爪２６ならびに上方加締爪アーム２８ならびに下方加締爪アーム２９は、それ以上は、移動せず、さらに、第一カム６１および第二カム６２が回転すると、上方揺動アーム５１のカムフォロア５３は、第一カム６１のカムローブに当接しているが、上方揺動アーム５１の先端部に取付けられたローラ５２は、上方加締爪アーム２８の下面から離れ、他方、下方揺動アーム５６の先端部に取付けられたローラ５７は、下方加締爪アーム２９の上面に当接しているが、カムフォロア５８は、第二カム６２のカムローブから離れるようになり、第一カム６１と上方加締爪アーム２８との上方揺動アーム５１を介しての係合および第二カム６２と下方加締爪アーム２９との下方揺動アーム５６を介しての係合は解除されるようになっている。
【０１６６】
図１０は、本発明のさらに他の好ましい実施態様にかかる硬貨包装機の制御系、検出系および駆動系を示すブロックダイアグラムである。
【０１６７】
図１０に示されるように、本実施態様にかかる硬貨包装機の制御系は、硬貨包装機全体の動作を制御するコントロールユニット７０と、制御プログラムを格納するＲＯＭ７１と、種々のデータを一時的に記憶するＲＡＭ７２を備えている。
【０１６８】
また、本実施態様にかかる硬貨包装機の検出系は、硬貨Ｃの金種を判別し、硬貨Ｃの枚数を計数するセンサ６と、硬貨支持ポスト１８上に支持された集積硬貨Ｃの側面からの反射光を受光するラインセンサ９２と、ディスク１０１の回転角を検出するロータリーエンコーダ１００を備えている。
【０１６９】
図１０に示されるように、本実施態様にかかる硬貨包装機の駆動系は、回転円板１を回転させる回転円板モータ７５と、硬貨選別通路２の搬送ベルト５を駆動する搬送ベルトモータ７６と、硬貨選別通路２の下流端部近傍に設けられたストッパを駆動するストッパソレノイド７７と、硬貨集積部７の一対の集積ドラム９を回転させる集積ドラムモータ７８と、硬貨集積部７のシャッタ１０を開閉するシャッタソレノイド７９と、硬貨支持ポスト１８を、待機位置、包装位置および退避位置との間で移動させる支持ポストモータ８０と、光源９０をオン・オフする駆動回路１０５と、３本の包装ローラ１６、１６、１６を回転させる包装ローラモータ８１と、３本の包装ローラ１６、１６、１６を、包装紙１７を介して、集積硬貨Ｃを挟持する包装位置と、包装位置から離間した退避位置との間で移動させる包装ローラ移動モータ８２と、包装紙供給ローラ２２を駆動する包装紙供給モータ８３と、第一カム６１および第二カム６２をカム軸６０まわりに回転させるカムモータ８４と、包装硬貨ロールを、第１のシュートあるいは第２のシュートに選択的に導くゲートを駆動するゲートソレノイド８５を備えている。
【０１７０】
本実施態様においては、３本の包装ローラ１６、１６、１６によって挟持されている包装すべきＭ枚の集積硬貨Ｃのうちの最上の硬貨Ｃの上面に、上方加締爪２５が当接するとともに、最下の硬貨Ｃの下面に、下方加締爪２６が当接するときのディスク１０１の回転角が、第一の基準回転角として、金種ごとに、ＲＯＭ７１に記憶され、上方加締爪２５が、包装すべきＭ枚の集積硬貨Ｃの最上の硬貨Ｃの上面から離間し始めるとともに、下方加締爪２６が、最下の硬貨の下面から離間し始めるときのディスク１０１の回転角が、第二の基準回転角として、金種ごとに、ＲＯＭ７１に記憶されている。
【０１７１】
さらに、本実施態様においては、上方加締爪２５および下方加締爪２６が、退避位置に位置しているときのディスク１０１の回転角が、退避位置回転角として、ＲＯＭ７１に記憶されている。
【０１７２】
以上のように構成された本発明の実施態様にかかる硬貨包装機は、以下のようにして、所定枚数Ｍの集積硬貨Ｃを包装し、包装硬貨ロールを生成する。
【０１７３】
オペレータが、硬貨包装機に、包装指示信号と包装すべき硬貨Ｃの金種を特定する金種特定信号を入力すると、包装指示信号および金種特定信号は、コントロールユニット７０に入力される。
【０１７４】
包装指示信号および金種特定信号を受けると、コントロールユニット７０は、まず、ＲＯＭ７１に記憶された包装すべき金種の硬貨Ｃの第一の基準回転角および第二の基準回転角を読み出し、ＲＡＭ７２に記憶させる。
【０１７５】
次いで、コントロールユニット７０は、回転円板モータ７５に駆動信号を出力して、回転円板１を回転させるとともに、搬送ベルトモータ７６に駆動信号を出力して、搬送ベルト５を駆動させる。
【０１７６】
硬貨投入口（図示せず）から、硬貨包装機内に投入された硬貨Ｃは、搬送ベルト（図示せず）により搬送されて、回転している回転円板１上に送られる。
【０１７７】
回転円板１上に送られた硬貨Ｃは、回転円板１の回転によって生ずる遠心力により、環状のガイド部材（図示せず）に沿って、環状のガイド部材の開口部から、硬貨選別通路２内に、１枚づつ、送り出される。
【０１７８】
ここに、硬貨選別通路２の通路幅を決定する一対のガイド部材３、４の間隙は、包装すべき金種の硬貨Ｃよりも径の大きい硬貨Ｃが通過できないように設定されており、したがって、包装すべき金種の硬貨Ｃよりも径の大きい金種の硬貨Ｃは、回転円板１上に残留し、包装すべき金種の硬貨Ｃおよびそれよりも径の小さい硬貨Ｃのみが、硬貨選別通路２内に、１枚づつ、送り出される。
【０１７９】
また、一対のガイド部材３、４の間隙は、包装すべき金種の硬貨Ｃよりも径の小さい硬貨Ｃよりも大きく設定されているため、包装すべき金種の硬貨Ｃよりも径の小さい硬貨Ｃは、一対のガイド部材３、４の間から、落下して、回収される。
【０１８０】
硬貨選別通路２内に送り出された包装すべき金種の硬貨Ｃは、センサ６により、その金種が判別されるとともに、枚数が計数されて、硬貨選別通路２内を硬貨集積部７に向けて送られる。
【０１８１】
センサ６の検出信号および計数信号は、コントロールユニット７０に出力され、センサ６から検出信号および計数信号を受けると、コントロールユニット７０は、センサ６の検出結果および計数結果をＲＡＭ７２に記憶させる。
【０１８２】
同時に、コントロールユニット７０は、集積ドラムモータ７８に駆動信号を出力して、一対の集積ドラム９を回転させる。
【０１８３】
ＲＡＭ７２に記憶されたセンサ６の検出結果および計数結果に基づき、包装すべき所定枚数Ｍの硬貨Ｃが硬貨集積部７に送られたと判定すると、コントロールユニット７０は、ストッパソレノイド７７に駆動信号を出力し、ストッパを硬貨選別通路２内に突出させて、後続硬貨が硬貨集積部７内に送られるのを防止するとともに、回転円板モータ７５および搬送ベルトモータ７６に駆動停止信号を出力して、回転円板１の回転および搬送ベルト５の駆動を停止させる。
【０１８４】
同時に、コントロールユニット７０は、所定時間にわたり、集積ドラムモータ７８に駆動信号を出力するとともに、支持ポストモータ８０に駆動信号を出力して、硬貨支持ポスト１８をシャッタ１０の直下の待機位置に向けて移動させる。
【０１８５】
硬貨集積部７内に送られた硬貨Ｃは、一対の集積ドラム９の外表面に形成されたらせん状突起８の上面により支持される。次々に、硬貨集積部７内に送られる硬貨Ｃは、硬貨ガイド部材（図示せず）によってガイドされつつ、集積ドラム９の回転にしたがって、らせん状突起８の上面に集積される。
【０１８６】
こうして、包装すべき所定枚数Ｍの硬貨Ｃが一対の集積ドラム９のらせん状突起８の上面に集積されて、シャッタ１０の近傍まで下降すると、集積硬貨Ｃはシャッタ１０上に受け渡される。
【０１８７】
ストッパソレノイド７７が駆動されてから、所定時間が経過し、集積硬貨Ｃがシャッタ１０上に受け渡され、かつ、硬貨支持ポスト１８がシャッタ１０の直下の待機位置に達したと判定すると、コントロールユニット７０は、シャッタソレノイド７９に駆動信号を出力して、シャッタ１０を開き、シャッタ１０上に載置されている集積硬貨Ｃを、待機位置に位置している硬貨支持ポスト１８の上面に受け渡させる。
【０１８８】
次いで、コントロールユニット７０は、支持ポストモータ８０に駆動信号を出力して、アーム２０を支軸１９に沿って、下降させるとともに、駆動回路１０５に駆動信号を出力して、光源９０をオンさせる。
【０１８９】
光源９０から発せられた光は、スリット９１を通ることによって、鉛直方向に細いビームとされて、集積硬貨Ｃの側面に照射される。
【０１９０】
集積硬貨Ｃの側面によって反射された反射光は、軸が水平になるように配置されたシリンドリカルレンズ９３に入射する。
【０１９１】
その結果、光の水平方向成分のみが、ラインセンサ９２の水平方向に並んだ複数の受光素子上に集光され、受光される。
【０１９２】
図１１は、集積硬貨Ｃに対して、ラインセンサ９２が、どのような検出波形を生成するかを示すグラフであり、図１１Ａは、硬貨支持ポスト１８と集積硬貨Ｃの位置を示し、図１１Ｂは、ラインセンサ９２がどのような検出波形を生成するかを示している。
【０１９３】
図１１において、ｔ０は、硬貨支持ポスト１８が下降し、硬貨支持ポスト１８の下端部により反射された光をラインセンサ９２が検出した時点を、ｔ１は、硬貨支持ポスト１８の上端部と硬貨支持ポスト１８に支持された集積硬貨Ｃのうちの最下の硬貨Ｃの下面との間の間隙部により反射された光をラインセンサ９２が検出した時点を、ｔ２は、集積硬貨Ｃのうちの最下の硬貨Ｃの上面と最下の硬貨Ｃの上に集積された第二の硬貨Ｃの下面との間の間隙部により反射された光をラインセンサ９２が検出した時点を、ｔ３は、第二の硬貨Ｃの上面と第二の硬貨Ｃの上に集積された第三の硬貨Ｃの下面との間の間隙部により反射された光をラインセンサ９２が検出した時点を、ｔ４は、第三の硬貨Ｃの上面と第三の硬貨Ｃの上に集積された第四の硬貨Ｃの下面との間の間隙部によって反射された光をラインセンサ９２が検出した時点を、それぞれ、示している。
【０１９４】
したがって、時間ｔ０とｔ１の間に、ラインセンサ９２により検出された反射光は、硬貨支持ポスト１８から反射されたものであり、時間ｔ１とｔ２の間、時間ｔ２とｔ３の間、時間ｔ３とｔ４の間に、ラインセンサ９２により検出された反射光は、それぞれ、最下の硬貨Ｃ、第二の硬貨Ｃ、第三の硬貨Ｃの側面から反射されたものとなる。
【０１９５】
硬貨Ｃの側面には、凹凸が形成されている場合もあるが、同じ金種の硬貨Ｃであれば、凹凸があっても、側面により反射され、ラインセンサ９２により検出される反射光の光量の総和はほぼ一定である。
【０１９６】
これに対して、一般に、硬貨Ｃの表裏面には凹凸が形成されており、硬貨Ｃと硬貨Ｃは表面に形成された凹凸により接し、硬貨Ｃと硬貨Ｃとの間には間隙が存するため、硬貨Ｃと硬貨Ｃの隣接部により反射される反射光の光量は、硬貨Ｃの側部に比して小さく、また、硬貨Ｃの表裏面に形成された凹凸において、乱反射が生じやすいため、ラインセンサ９２の受光素子によって受光される反射光の光量は、硬貨Ｃの側面によって反射され、ラインセンサ９２によって検出される反射光の光量に比して、著しく低下する。
【０１９７】
したがって、ラインセンサ９２が、硬貨Ｃと硬貨Ｃの隣接部により反射された光を受光すると、図１１Ｂに示されるように、ラインセンサ９２から出力される波形の出力レベルが大きく落ち込み、ラインセンサ９２の出力波形に基づき、硬貨Ｃと硬貨Ｃの隣接部の数を検出することが可能になり、硬貨Ｃと硬貨Ｃの隣接部の数に基づき、硬貨支持ポスト１８上に支持された集積硬貨Ｃの枚数を決定することができる。
【０１９８】
なお、硬貨支持ポスト１８の径は、包装すべき硬貨Ｃの径よりも小さく設定されているため、硬貨支持ポスト１８により反射され、ラインセンサ９２により検出される光量は、硬貨Ｃの側面により反射され、ラインセンサ９２により検出される光量よりも小さく、したがって、ラインセンサ９２の出力波形に基づいて、硬貨支持ポスト１８と硬貨Ｃとを区別することができる。
【０１９９】
ここに、ラインセンサ９２による反射光のサンプリング周期は、硬貨Ｃと硬貨Ｃの隣接部が検出可能であるように設定されなければならない。すなわち、硬貨支持ポスト１８の下降速度をＶとし、包装すべき硬貨Ｃと硬貨Ｃの隣接部の最小幅をＷとすれば、ラインセンサ９２による反射光のサンプリング周期は、Δｔ＝Ｗ／Ｖ以下に設定されることが必要である。
【０２００】
硬貨支持ポスト１８の下降に伴って、ラインセンサ９２から、コントロールユニット７０に、図１１Ｂで示された検出波形が出力される。
【０２０１】
コントロールユニット７０は、ラインセンサ９２から入力された反射光の検出データをしきい値Ｔを用いて、Ｈ信号とＬ信号とに二値化し、二値化されたデータに基づいて、硬貨Ｃと硬貨Ｃの隣接部の数を検出し、硬貨支持ポスト１８上に支持された硬貨Ｃの枚数を検出する。
【０２０２】
図１２は、コントロールユニット７０により二値化された検出データを示すグラフであり、図１２Ａは、しきい値Ｔを、硬貨支持ポスト１８からの反射光の受光光量レベルよりも高い値に設定した場合の二値化データを示し、図１２Ｂは、しきい値Ｔを、硬貨支持ポスト１８からの反射光の受光光量レベルよりも低い値に設定した場合の二値化データを示している。
【０２０３】
図１２Ａに示されるように、しきい値Ｔを、硬貨支持ポスト１８からの反射光の受光光量レベルよりも高い値に設定すれば、容易に、硬貨Ｃと硬貨Ｃの隣接部の数を検出し、硬貨支持ポスト１８上に支持された硬貨Ｃの枚数を決定することができる。
【０２０４】
しかしながら、包装すべき最小径の硬貨Ｃの径と硬貨支持ポスト１８の径との差が小さい場合には、しきい値Ｔを、硬貨支持ポスト１８からの反射光の受光光量レベルよりも高く、包装すべき最小径の硬貨Ｃの側面からの反射光の受光光量レベルよりも低い値に設定をしても、何らかの原因で、コントロールユニット７０が硬貨支持ポスト１８からの反射光の受光光量レベルをしきい値Ｔよりも高いと判定して、図１２Ｂに示されるように、Ｈ信号に二値化することが生じ得る。
【０２０５】
したがって、本実施態様にかかる硬貨包装機は、このような場合にも、精度よく、硬貨支持ポスト１８上に支持された硬貨Ｃの枚数を決定することができるように構成されている。
【０２０６】
すなわち、ＲＯＭ７１には、あらかじめ、包装すべき硬貨Ｃのうち、厚みが最大の硬貨Ｃに、光源９０から光を照射し、ラインセンサ９２により反射光を検出した際に、ラインセンサ９２からコントロールユニット７０にＨ信号が入力される時間に所定の時間δｔを加えた値Ｘ０が、基準時間データとして、記憶されており、ラインセンサ９２から反射光の検出信号が入力されると、コントロールユニット７０は、ＲＯＭ７１に記憶されている基準時間データを読み出す。
【０２０７】
次いで、コントロールユニット７０は、Ｈ信号が入力されてからＬ信号が入力されるまでの時間Ｘを検出し、時間ＸがＲＯＭ７１から読み出した基準時間データの値Ｘ０よりも長いか否かを判定する。
【０２０８】
その結果、時間ＸがＲＯＭ７１から読み出した基準時間データの値Ｘ０よりも長くないときは、そのＨ信号は、硬貨Ｃの側面で反射された反射光を受光して生成された信号であると判定し、その後に入力されるＬ信号の数を計数して、硬貨支持ポスト１８上に支持されている硬貨Ｃの枚数を決定する。
【０２０９】
これに対して、図１２Ｂに示されるように、時間Ｘが基準時間データの値Ｘ０よりも長いときは、そのＨ信号は、硬貨支持ポスト１８の側面で反射された反射光を受光して生成された信号と認められるから、コントロールユニット７０は、最初に入力されたＬ信号は、硬貨支持ポスト１８の上面と最下の硬貨Ｃの下面との隣接部で反射された反射光を受光して生成された信号と判定して、その後に入力されるＬ信号の数を計数して、硬貨支持ポスト１８上に支持されている集積硬貨Ｃの枚数を検出する。
【０２１０】
そして、その後に入力されたＬ信号が入力されてからの検出時間が基準時間データの値Ｘ０よりも長いときは、硬貨支持ポスト１８上に支持されている硬貨Ｃの検出は終了したと認められるので、コントロールユニット７０は、あらかじめ記憶されている包装すべき硬貨Ｃの枚数ＭをＲＯＭ７１から読み出し、硬貨支持ポスト１８上に支持されている硬貨Ｃの枚数の計数値と比較して、包装すべき枚数Ｍの硬貨Ｃが硬貨支持ポスト１８上に集積されて、支持されているか否かを判定する。
【０２１１】
その結果、硬貨Ｃの枚数の計数値が包装すべき硬貨Ｃの枚数Ｍと一致しないときは、コントロールユニット７０は、硬貨Ｃの包装を実行しない旨のデータをＲＡＭ７２に書き込み、他方、硬貨Ｃの枚数の計数値が包装すべき硬貨Ｃの枚数Ｍと一致したときは、コントロールユニット７０は何のデータもＲＡＭ７２に書き込まない。
【０２１２】
集積硬貨Ｃを支持した硬貨支持ポスト１８が下降し、包装位置に達すると、コントロールユニット７０は、ＲＡＭ７２にアクセスし、硬貨Ｃの包装を実行しない旨のデータが書き込まれているか否かを判定する。
【０２１３】
その結果、ＲＡＭ７２に、硬貨Ｃの包装を実行しない旨のデータが書き込まれていないと判定したときは、コントロールユニット７０は、集積硬貨Ｃの包装を開始する。
【０２１４】
図１３は、包装紙供給モータ８３、包装ローラモータ８１および包装ローラ移動モータ８２の動作を示すタイミングチャートである。
【０２１５】
図１３に示されるように、時間Ｔ１において、コントロールユニット７０は、包装紙供給モータ８３に駆動信号を出力して、包装紙供給ローラ２２を、低速で、回転させ、包装紙ロール２１から、包装紙１７を送り出させる。
【０２１６】
その結果、包装紙ロール２１から送り出された包装紙１７の先端部が、３本の包装ローラ１６、１６、１６と、硬貨支持ポスト１８上に支持されている集積硬貨Ｃとの間に送り込まれる。
【０２１７】
次いで、時間Ｔ２において、コントロールユニット７０は、包装ローラ移動モータ８２に包装信号を出力して、３本の包装ローラ１６、１６、１６を互いに近接するように、それぞれの包装位置に移動させ、硬貨支持ポスト１８上に支持された集積硬貨Ｃを、包装ローラ１６、１６、１６によって、包装紙１７を介して、挟持させる。
【０２１８】
次いで、時間Ｔ３において、コントロールユニット７０は、包装ローラモータ８１に駆動信号を出力して、包装ローラ１６、１６、１６を回転させる。
【０２１９】
その結果、包装ローラ１６、１６、１６によって挟持された集積硬貨Ｃの周囲に、包装紙１７が巻き付けられる。
【０２２０】
次いで、時間Ｔ４において、コントロールユニット７０は、包装紙供給ローラ２２に駆動停止信号を出力して、包装紙供給ローラ２２を停止させる。
【０２２１】
その結果、包装紙供給ローラ２２と包装ローラ１６、１６、１６との間で、包装紙１７が緊張状態になって、カッタ２３に当接し、カッタ２３によって、包装紙１７が切断される。
【０２２２】
こうして、包装ローラ１６、１６、１６の回転にともなって、包装ローラ１６、１６、１６によって挟持された集積硬貨Ｃの周囲に、包装紙１７が巻き付けられる。
【０２２３】
所定の長さの包装紙１７が、たとえば、集積硬貨Ｃの外周の２倍の長さの包装紙１７が、包装紙ロール２１から、集積硬貨Ｃの周囲に供給されて、包装ローラ１６、１６、１６によって挟持された集積硬貨Ｃの周囲に巻き付けられると、コントロールユニット７０は、カムモータ８４に駆動信号を出力して、上方加締爪２５および下方加締爪２６を、集積硬貨Ｃの最上の硬貨Ｃの上面および最下の硬貨Ｃの下面に向けて、移動させる。
【０２２４】
上方加締爪２５および下方加締爪２６の移動に伴って、上方加締爪２５によって、集積硬貨Ｃの周囲に巻回された包装紙１７の上端部近傍の加締め部分１７ａが加締められ、下方加締爪２６によって、包装紙１７の下端部近傍の加締め部分１７ｂが加締められる。
【０２２５】
ロータリーエンコーダ１００から入力されるディスク１０１の回転角検出信号に基づいて、ディスク１０１の回転角が、包装すべき金種の硬貨Ｃの第一の基準回転角に等しくなったと判定すると、時間Ｔ５において、コントロールユニット７０は、包装ローラモータ８１に駆動停止信号を出力して、包装ローラ１６、１６、１６の回転を停止させる。
【０２２６】
したがって、上方加締爪２５が、集積硬貨Ｃの周囲に巻回された包装紙１７の上端部近傍の加締め部分１７ａを加締めつつ、包装ローラ１６、１６、１６によって挟持された集積硬貨Ｃのうち、最上の硬貨Ｃの上面に当接するとともに、下方加締爪２６が、包装紙１７の下端部近傍の加締め部分１７ｂを加締めつつ、包装ローラ１６、１６、１６によって挟持された集積硬貨Ｃのうち、最下の硬貨Ｃの下面に当接し、包装硬貨ロールが生成された時点で、包装ローラ１６、１６、１６が停止される。
【０２２７】
本実施態様においては、上方揺動アーム５１に支持されたカムフォロア５３および下方揺動アーム５６に支持されたカムフォロア５８が、カム軸６０からの距離が最小のカムローブと当接しているときに、上方加締爪２５および下方加締爪２６が、包装ローラ１６、１６、１６によって挟持された厚さが最小の金種のＭ枚の集積硬貨Ｃを挟持し得る位置に位置するように、設定されているから、厚さが最小の金種以外のＭ枚の集積硬貨Ｃが、包装ローラ１６、１６、１６によって、挟持されているとき、あるいは、Ｍ枚以上の硬貨Ｃを含む集積硬貨Ｃが、包装ローラ１６、１６、１６によって、挟持されているときは、集積硬貨Ｃのうち、最上の硬貨Ｃの上面に、上方加締爪２５が当接し、最下の硬貨Ｃの下面に、下方加締爪２６が当接しても、上方揺動アーム５１のカムフォロア５３および下方揺動アーム５６のカムフォロア５８が、カム軸６０からの距離が最小のカムローブと当接するまでの間、カムモータ８４は、駆動され続けて、第一カム６１および第二カム６２は回転されるが、上方加締爪２５が、Ｍ枚の集積硬貨Ｃのうち、最上の硬貨Ｃの上面に当接した後は、上方揺動アーム５１のカムフォロア５３は、第一カム６１のカムローブに当接していても、上方揺動アーム５１の先端部に取付けられたローラ５２が、上方加締爪アーム２８の下面から離れるため、第一カム６１と上方加締爪アーム２８との上方揺動アーム５１を介しての係合が解除され、他方、下方加締爪２６が、Ｍ枚の集積硬貨Ｃのうち、最下の硬貨Ｃの下面に当接した後は、下方揺動アーム５６の先端部に取付けられたローラ５７は、下方加締爪アーム２９の上面に当接していても、カムフォロア５８が、第二カム６２のカムローブから離れるため、第二カム６２と下方加締爪アーム２９との下方揺動アーム５６を介しての係合は解除され、上方加締爪２５は、Ｍ枚の集積硬貨Ｃのうち、最上の硬貨Ｃの上面に当接した状態に保持され、下方加締爪２６が、Ｍ枚の集積硬貨Ｃのうち、最下の硬貨Ｃの下面に当接した状態に保持される。
【０２２８】
したがって、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接した後も、包装ローラ１６、１６、１６が回転され続けるときは、上方加締爪２５によって、包装ローラ１６、１６、１６によって挟持された集積硬貨Ｃのうち、最上の硬貨Ｃの上面が傷つけられ、下方加締爪２６によって、最下の硬貨Ｃの下面が傷つけられるおそれがあるが、本実施態様においては、集積硬貨Ｃのうち、最上の硬貨Ｃの上面に、上方加締爪２５が当接し、最下の硬貨Ｃの下面に、下方加締爪２６が当接した時点で、包装ローラ１６、１６、１６の回転が停止されるように構成されているから、Ｍ枚の集積硬貨Ｃの最上の硬貨Ｃの上面および最下の硬貨Ｃの下面が、上方加締爪２５および下方加締爪２６によって、傷つけられることを確実に防止することが可能になる。
【０２２９】
第一カム６１および第二カム６２は、さらに、回転され、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方揺動アーム５１と下方揺動アーム５６が、反対方向に、揺動を開始する。
【０２３０】
その結果、ロータリーエンコーダ１００から入力されたディスク１０１の回転角検出信号に基づき、時間Ｔ６において、ディスク１０１の回転角が、包装すべき金種の硬貨Ｃの第二の基準回転角に等しくなり、上方加締爪２５が、Ｍ枚の集積硬貨Ｃの最上の硬貨Ｃの上面から離間し始めるとともに、下方加締爪２６が、最下の硬貨Ｃの下面から離間し始めたと判定すると、コントロールユニット７０は、包装ローラモータ８１に、駆動信号を出力して、包装ローラ１６、１６、１６を回転させる。
【０２３１】
加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様においては、上方加締爪２５および下方加締爪２６を離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０２３２】
上方加締爪２５および下方加締爪２６が離間を開始してから、所定の時間が経過すると、時間Ｔ７において、コントロールユニット７０は、包装ローラモータ８１に、駆動停止信号を出力して、包装ローラ１６、１６、１６の回転を停止させる。
【０２３３】
さらに、包装ローラ１６、１６、１６の回転が完全に停止した後、時間Ｔ８において、コントロールユニット７０は、支持ポストモータ８０に退避信号を出力して、硬貨支持ポスト１８を、包装ローラ１６、１６、１６の間の空間から離間した退避位置に移動させ、さらに、包装ローラ移動モータ８２に退避信号を出力して、包装ローラ１６、１６、１６を、それぞれの退避位置に移動させる。
【０２３４】
その結果、硬貨支持ポスト１８による支持および包装ローラ１６、１６、１６による包装硬貨ロールの挟持が解除され、Ｍ枚の集積硬貨Ｃが、包装紙１７によって、包装されて、生成された包装硬貨ロールは、ゲート（図示せず）が、硬貨包装部１５と第１のシュート（図示せず）を連通させる位置に保持されているため、第１のシュートを介して、包装硬貨ロール回収ボックス（図示せず）内に回収される。
【０２３５】
包装硬貨ロールが、包装硬貨ロール回収ボックス（図示せず）内に回収された後も、カムモータ８４は、さらに、回転し、ロータリーエンコーダ１００から入力されたディスク１０１の回転角検出信号に基づき、上方加締爪２５および下方加締爪２６が、退避位置に達したと判定すると、コントロールユニット７０は、カムモータ８４に駆動停止信号を出力して、１サイクルの集積硬貨Ｃの包装動作を完了させる。
【０２３６】
これに対して、ＲＡＭ７２に、硬貨Ｃの包装を実行しない旨のデータが書き込まれていると判定したときは、コントロールユニット７０は、まず、ゲートソレノイド８５に駆動信号を出力して、ゲート（図示せず）を、硬貨包装部１５と第２のシュート（図示せず）とを連通させる位置に位置させる。
【０２３７】
次いで、コントロールユニット７０は、包装紙供給モータ８３およびカムモータ８４に駆動信号を出力することなく、図１３のタイミングチャートにしたがって、包装ローラ移動モータ８２を駆動する。
【０２３８】
その結果、包装紙１７が供給されることなく、硬貨支持ポスト１８上に支持された集積硬貨Ｃは、３本の包装ローラ１６、１６、１６によって挟持される。
【０２３９】
さらに、上方加締爪２５および下方加締爪２６による包装紙１７の加締め動作がなされることなく、所定時間経過後に、包装ローラ移動モータ８２が駆動されて、包装ローラ１６、１６、１６が退避位置に離間され、その結果、硬貨Ｃは、第２のシュートを介して、硬貨回収ボックス（図示せず）内に回収される。
【０２４０】
上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められつつ、上方加締爪２５および下方加締爪２６が近接し、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、包装硬貨ロールが生成された後においても、包装ローラ１６、１６、１６が回転され続けるときは、上方加締爪２５によって、Ｍ枚の集積硬貨Ｃのうち、最上の硬貨Ｃの上面が傷つけられ、下方加締爪２６によって、最下の硬貨Ｃの下面が傷つけられるおそれがあるが、本実施態様によれば、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められて、包装硬貨ロールが生成された時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０２４１】
また、本実施態様によれば、硬貨包装機の機構に変更を加えることなく、硬貨包装機の動作を制御する制御プログラムを変更するだけで、上方加締爪２５および下方加締爪２６によって、硬貨Ｃの表面が傷つけられることを確実に防止しつつ、集積硬貨Ｃの上下の包装紙１７の加締め部分１７ａ、１７ｂを、所望のように、加締めて、包装硬貨ロールを生成することが可能になる。
【０２４２】
さらに、加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様によれば、上方加締爪２５および下方加締爪２６を、集積硬貨Ｃから、離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０２４３】
また、本実施態様によれば、アブソルートタイプのロータリーエンコーダ３４に代えて、ディスク１０１の回転角を検出するロータリーエンコーダ１００を用いて、上方加締爪２５および下方加締爪２６の位置を検出しているから、硬貨包装機の構造を簡易化することができる。
【０２４４】
さらに、本実施態様によれば、光源９０から、スリット９１を介して、硬貨支持ポスト１８上に支持された集積硬貨Ｃに、光を照射し、硬貨Ｃの側面で反射された反射光を、シリンドリカルレンズ９３により、ラインセンサ９２の受光素子に集光し、ラインセンサ９２から出力された検出波形を解析して、硬貨支持ポスト１８上に支持された集積硬貨Ｃの枚数が包装すべき枚数と一致しているか否かを判定しており、しかも、光源９０、スリット９１、シリンドリカルレンズ９３およびラインセンサ９２は、硬貨集積部７と硬貨包装部１５の間の同一水平面内に設けられているので、硬貨包装機を大型化させることなく、３本の包装ローラ１６、１６、１６と包装すべき硬貨Ｃとの間に包装紙を案内するガイド部材（図示せず）が設けられ、硬貨包装部１５内に、包装すべき硬貨Ｃの枚数を検出する手段を設けるスペースを確保することがきわめて困難な場合でも、硬貨集積部７で集積され、硬貨包装部１５に送られる硬貨Ｃの枚数を検出する手段を設けて、集積硬貨Ｃに含まれている硬貨Ｃの枚数の過不足を、精度良く、検出することができ、したがって、確実に、所定枚数Ｍづつの硬貨Ｃを含む包装硬貨ロールを生成することが可能になる。
【０２４５】
図１４は、本発明のさらに好ましい実施態様にかかる硬貨包装機の上方加締爪２５を移動させる第一カム６１および下方加締爪２６を移動させる第二カム６２の回転角度検出機構の略斜視図である。
【０２４６】
図１４に示されるように、本実施態様にかかる硬貨包装機の硬貨包装部１５は、図９に示されたディスク１０１とセンサ１０２を備えたロータリーエンコーダ１００に代えて、ギア１１１と歯付きドラム１１２を備え、上方加締爪２５を移動させる第一カム６１および下方加締爪２６を移動させる第二カム６２の回転角度を検出するロータリーエンコーダ１１０を備えている点を除き、図９に示された硬貨包装機の硬貨包装部１５と同様の構成を有している。
【０２４７】
図１４に示されるように、本実施態様にかかる硬貨包装機の硬貨包装部１５に設けられたロータリーエンコーダ１１０は、その軸１１１ａが、カム軸６０に連結されたギア１１１と、その外周面に、ギア１１１と係合する多数の歯が形成された歯付きドラム１１２を備えており、歯付きドラム１１２の回転角を検出することによって、第一カム６１と第二カム６２の回転角を検出することができる。
【０２４８】
本実施態様においては、上方揺動アーム５１に支持されたカムフォロア５３および下方揺動アーム５６に支持されたカムフォロア５８が、カム軸６０からの距離が最小のカムローブと当接しているときに、上方加締爪２５および下方加締爪２６が、包装ローラ１６、１６、１６によって挟持された厚さが最小の金種のＭ枚の集積硬貨Ｃを挟持し得る位置に位置するように、設定されている。
【０２４９】
したがって、厚さが最小の金種以外の硬貨Ｃを包装する場合には、上方揺動アーム５１のカムフォロア５３および下方揺動アーム５６のカムフォロア５８が、カム軸６０からの距離が最小のカムローブと当接する前に、上方加締爪２５は、包装すべき集積硬貨Ｃの最上の硬貨の上面に当接するとともに、下方加締爪２６は、包装すべき集積硬貨Ｃの最下の硬貨Ｃの下面に当接し、その結果、上方加締爪２５および下方加締爪２６ならびに上方加締爪アーム２８ならびに下方加締爪アーム２９は、それ以上は、移動せず、さらに、第一カム６１および第二カム６２が回転すると、上方揺動アーム５１のカムフォロア５３は、第一カム６１のカムローブに当接しているが、上方揺動アーム５１の先端部に取付けられたローラ５２は、上方加締爪アーム２８の下面から離れ、他方、下方揺動アーム５６の先端部に取付けられたローラ５７は、下方加締爪アーム２９の上面に当接しているが、カムフォロア５８は、第二カム６２のカムローブから離れるようになり、第一カム６１と上方加締爪アーム２８との上方揺動アーム５１を介しての係合および第二カム６２と下方加締爪アーム２９との下方揺動アーム５６を介しての係合は解除されるようになっている。
【０２５０】
図１５は、本実施態様にかかる硬貨包装機の制御系、検出系および駆動系を示すブロックダイアグラムである。
【０２５１】
図１５に示されるように、本実施態様にかかる硬貨包装機の制御系、検出系および駆動系は、ディスク１０１の回転角を検出するロータリーエンコーダ１００に代えて、歯付きドラム１１１の回転角を検出するロータリーエンコーダ１１０を備えている点を除き、図１０に示された硬貨包装機の制御系、検出系および駆動系と同様の構成を有している。
【０２５２】
本実施態様においては、３本の包装ローラ１６、１６、１６によって挟持されている包装すべきＭ枚の集積硬貨Ｃのうち、最上の硬貨Ｃの上面に、上方加締爪２５が当接するとともに、最下の硬貨Ｃの下面に、下方加締爪２６が当接するときの歯付きドラム１１２の回転角が、第一の基準回転角として、金種ごとに、ＲＡＭ７２に記憶され、上方加締爪２５が、包装すべきＭ枚の集積硬貨Ｃの最上の硬貨Ｃの上面から離間し始めるとともに、下方加締爪２６が、最下の硬貨Ｃの下面から離間し始めるときの歯付きドラム１１２の回転角が、第二の基準回転角として、金種ごとに、ＲＯＭ７１に記憶されている。
【０２５３】
さらに、本実施態様においては、上方加締爪２５および下方加締爪２６が、退避位置に位置しているときの歯付きドラム１１２の回転角が、退避位置回転角として、ＲＯＭ７１に記憶されている。
【０２５４】
本実施態様においても、図７ないし図１３に示された実施態様と同様にして、光源９０、スリット９１、ラインセンサ９２およびシリンドリカルレンズ９３を用いて、硬貨支持ポスト１８上に支持された硬貨Ｃの枚数が検出され、硬貨支持ポスト１８上に、包装すべきＭ枚の硬貨Ｃが支持されていると判定されたときに、包装紙供給モータ８３、包装ローラモータ８１および包装ローラ移動モータ８２が駆動されて、硬貨Ｃの包装が実行され、ロータリーエンコーダ１１０によって検出された歯付きドラム１１２の回転角が、包装すべき金種の硬貨Ｃの第一の基準回転角に等しくなり、包装ローラ１６、１６、１６によって挟持されたＭ枚の集積硬貨Ｃのうち、最上の硬貨Ｃの上面に、上方加締爪２５が当接し、最下の硬貨Ｃの下面に、下方加締爪２６が当接した時点で、包装ローラモータ８１の駆動が停止されて、包装ローラ１６、１６、１６の回転が停止され、ロータリーエンコーダ１１０によって検出された歯付きドラム１１２の回転角が、第二の基準回転角に等しくなり、上方加締爪２５が、包装すべきＭ枚の集積硬貨Ｃの最上の硬貨Ｃの上面から離間し始めるとともに、下方加締爪２６が、最下の硬貨Ｃの下面から離間し始めたときに、包装ローラモータ８１が、再び駆動されて、包装ローラ１６、１６、１６が回転され、ロータリーエンコーダ１１０によって検出された歯付きドラム１１２の回転角が、退避位置回転角に等しくなったときに、１サイクルの集積硬貨Ｃの包装動作を完了させる。
【０２５５】
したがって、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められつつ、上方加締爪２５および下方加締爪２６が近接し、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、包装硬貨ロールが生成された後においても、包装ローラ１６、１６、１６が回転され続けるときは、上方加締爪２５によって、Ｍ枚の集積硬貨Ｃのうち、最上の硬貨Ｃの上面が傷つけられ、下方加締爪２６によって、最下の硬貨Ｃの下面が傷つけられるおそれがあるが、本実施態様によれば、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められて、包装硬貨ロールが生成された時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０２５６】
また、本実施態様によれば、硬貨包装機の機構に変更を加えることなく、硬貨包装機の動作を制御する制御プログラムを変更するだけで、上方加締爪２５および下方加締爪２６によって、硬貨Ｃの表面が傷つけられることを確実に防止しつつ、集積硬貨Ｃの上下の包装紙１７の加締め部分１７ａ、１７ｂを、所望のように、加締めて、包装硬貨ロールを生成することが可能になる。
【０２５７】
さらに、加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様によれば、上方加締爪２５および下方加締爪２６を、集積硬貨Ｃから、離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０２５８】
また、本実施態様によれば、アブソルートタイプのロータリーエンコーダ３４に代えて、歯付きドラム１１２の回転角を検出するロータリーエンコーダ１１０を用いて、上方加締爪２５および下方加締爪２６の位置を検出しているから、硬貨包装機の構造を簡易化することができる。
【０２５９】
図１６は、本発明のさらに好ましい実施態様にかかる硬貨包装機の上方揺動アーム５１の揺動角度を検出するアーム揺動角度検出機構の略斜視図である。
【０２６０】
図１６に示されるように、本実施態様にかかる硬貨包装機の硬貨包装部１５は、図９に示されたディスク１０１とセンサ１０２を備えたロータリーエンコーダ１００に代えて、ギア１２１と歯付きドラム１２２を備え、上方加締爪２５のカムローブに当接するカムフォロア５３を支持している上方揺動アーム５１の揺動角を検出するロータリーエンコーダ１２０を備えている点を除き、図９に示された硬貨包装機の硬貨包装部１５と同様の構成を有している。
【０２６１】
図１６に示されるように、本実施態様にかかる硬貨包装機の硬貨包装部１５に設けられたロータリーエンコーダ１２０は、上方揺動アーム５１の軸５０に固定されたギア１２１と、その外周面に、ギア１２１と係合する多数の歯が形成された歯付きドラム１２２を備えており、歯付きドラム１２２の回転角を検出することによって、上方揺動アーム５１の揺動角を検出することができるように構成されている。
【０２６２】
本実施態様においては、上方揺動アーム５１に支持されたカムフォロア５３および下方揺動アーム５６に支持されたカムフォロア５８が、カム軸６０からの距離が最小のカムローブと当接しているときに、上方加締爪２５および下方加締爪２６が、包装ローラ１６、１６、１６によって挟持された厚さが最小の金種のＭ枚の集積硬貨Ｃを挟持し得る位置に位置するように、第一カム６１および第二カム６２のカムプロファイルが決定されている。
【０２６３】
したがって、厚さが最小の金種以外の硬貨Ｃを包装する場合には、上方揺動アーム５１のカムフォロア５３および下方揺動アーム５６のカムフォロア５８が、カム軸６０からの距離が最小のカムローブと当接する前に、上方加締爪２５は、包装すべき集積硬貨Ｃの最上の硬貨Ｃの上面に当接するとともに、下方加締爪２６は、包装すべき集積硬貨Ｃの最下の硬貨Ｃの下面に当接し、その結果、上方加締爪２５および下方加締爪２６ならびに上方加締爪アーム２８ならびに下方加締爪アーム２９は、それ以上は、移動せず、さらに、第一カム６１および第二カム６２が回転すると、上方揺動アーム５１のカムフォロア５３は、第一カム６１のカムローブに当接しているが、上方揺動アーム５１の先端部に取付けられたローラ５２は、上方加締爪アーム２８の下面から離れ、他方、下方揺動アーム５６の先端部に取付けられたローラ５７は、下方加締爪アーム２９の上面に当接しているが、カムフォロア５８は、第二カム６２のカムローブから離れるようになり、第一カム６１と上方加締爪アーム２８との上方揺動アーム５１を介しての係合および第二カム６２と下方加締爪アーム２９との下方揺動アーム５６を介しての係合は解除されるようになっている。
【０２６４】
図１７は、本発明のさらに他の好ましい実施態様にかかる硬貨包装機の制御系、検出系および駆動系を示すブロックダイアグラムである。
【０２６５】
図１７に示されるように、本実施態様にかかる硬貨包装機の制御系、検出系および駆動系は、ディスク１０１の回転角を検出するロータリーエンコーダ１００に代えて、歯付きドラム１２２の回転角を検出するロータリーエンコーダ１２０を備えている点を除き、図１０に示された硬貨包装機の制御系、検出系および駆動系と同様の構成を有している。
【０２６６】
本実施態様においては、３本の包装ローラ１６、１６、１６によって挟持されている包装すべきＭ枚の集積硬貨Ｃのうち、最上の硬貨Ｃの上面に、上方加締爪２５が当接するときの歯付きドラム１２２の回転角が、基準回転角として、金種ごとに、ＲＯＭ７１に記憶され、また、上方加締爪２５が、退避位置に位置しているときの歯付きドラム１２２の回転角が、退避位置回転角として、ＲＯＭ７１に記憶されている。
【０２６７】
本実施態様においても、図７ないし図１３に示された実施態様と同様にして、光源９０、スリット９１、ラインセンサ９２およびシリンドリカルレンズ９３を用いて、硬貨支持ポスト１８上に支持された硬貨Ｃの枚数が検出され、硬貨支持ポスト１８上に、包装すべきＭ枚の硬貨Ｃが支持されていると判定されたときに、硬貨Ｃの包装が実行される。
【０２６８】
図１８は、包装紙供給モータ８３、包装ローラモータ８１および包装ローラ移動モータ８２の動作を示すタイミングチャートである。
【０２６９】
図１８に示されるように、時間Ｔ１において、コントロールユニット７０は、包装紙供給モータ８３に駆動信号を出力して、包装紙供給ローラ２２を、低速で、回転させ、包装紙ロール２１から、包装紙１７を送り出させる。
【０２７０】
その結果、包装紙ロール２１から送り出された包装紙１７の先端部が、３本の包装ローラ１６、１６、１６と、硬貨支持ポスト１８上に支持されている集積硬貨Ｃとの間に送り込まれる。
【０２７１】
次いで、時間Ｔ２において、コントロールユニット７０は、包装ローラ移動モータ８２に包装信号を出力して、３本の包装ローラ１６、１６、１６を互いに近接するように、それぞれの包装位置に移動させ、硬貨支持ポスト１８上に支持された集積硬貨Ｃを、包装ローラ１６、１６、１６によって、包装紙１７を介して、挟持させる。
【０２７２】
次いで、時間Ｔ３において、コントロールユニット７０は、包装ローラモータ８１に駆動信号を出力して、包装ローラ１６、１６、１６を回転させる。
【０２７３】
その結果、包装ローラ１６、１６、１６によって挟持された集積硬貨Ｃの周囲に、包装紙１７が巻き付けられる。
【０２７４】
次いで、時間Ｔ４において、コントロールユニット７０は、包装紙供給ローラ２２に駆動停止信号を出力して、包装紙供給ローラ２２を停止させる。
【０２７５】
その結果、包装紙供給ローラ２２と包装ローラ１６、１６、１６との間で、包装紙１７が緊張状態になって、カッタ２３に当接し、カッタ２３によって、包装紙１７が切断される。
【０２７６】
こうして、包装ローラ１６、１６、１６の回転にともなって、包装ローラ１６、１６、１６によって挟持された集積硬貨Ｃの周囲に、包装紙１７が巻き付けられる。
【０２７７】
所定の長さの包装紙１７が、たとえば、集積硬貨Ｃの外周の２倍の長さの包装紙１７が、包装紙ロール２１から、集積硬貨Ｃの周囲に供給されて、包装ローラ１６、１６、１６によって挟持された集積硬貨Ｃの周囲に巻き付けられると、コントロールユニット７０は、カムモータ８４に駆動信号を出力して、上方加締爪２５および下方加締爪２６を、集積硬貨Ｃの最上の硬貨Ｃの上面および最下の硬貨Ｃの下面に向けて、移動させる。
【０２７８】
上方加締爪２５および下方加締爪２６の移動に伴って、上方加締爪２５によって、集積硬貨Ｃの周囲に巻回された包装紙１７の上端部近傍の加締め部分１７ａが加締められ、下方加締爪２６によって、包装紙１７の下端部近傍の加締め部分１７ｂが加締められる。
【０２７９】
ロータリーエンコーダ１２０から入力される歯付きドラム１２２の回転角検出信号に基づいて、歯付きドラム１２２の回転角が、包装すべき金種の硬貨Ｃの基準回転角に等しくなったと判定すると、時間Ｔ５において、コントロールユニット７０は、包装ローラモータ８１に駆動停止信号を出力して、包装ローラ１６、１６、１６の回転を停止させる。
【０２８０】
したがって、上方加締爪２５が、集積硬貨Ｃの周囲に巻回された包装紙１７の上端部近傍の加締め部分１７ａを加締めつつ、包装ローラ１６、１６、１６によって挟持された集積硬貨Ｃのうち、最上の硬貨Ｃの上面に当接するとともに、下方加締爪２６が、包装紙１７の下端部近傍の加締め部分１７ｂを加締めつつ、包装ローラ１６、１６、１６によって挟持された集積硬貨Ｃのうち、最下の硬貨Ｃの下面に当接し、包装硬貨ロールが生成された時点で、包装ローラ１６、１６、１６が停止される。
【０２８１】
本実施態様においては、上方揺動アーム５１に支持されたカムフォロア５３および下方揺動アーム５６に支持されたカムフォロア５８が、カム軸６０からの距離が最小のカムローブと当接しているときに、上方加締爪２５および下方加締爪２６が、包装ローラ１６、１６、１６によって挟持された厚さが最小の金種のＭ枚の集積硬貨Ｃを挟持し得る位置に位置するように、設定されているから、厚さが最小の金種以外のＭ枚の集積硬貨Ｃが、包装ローラ１６、１６、１６によって、挟持されているとき、あるいは、Ｍ枚以上の硬貨Ｃを含む集積硬貨Ｃが、包装ローラ１６、１６、１６によって、挟持されているときは、集積硬貨Ｃのうち、最上の硬貨Ｃの上面に、上方加締爪２５が当接し、最下の硬貨Ｃの下面に、下方加締爪２６が当接しても、上方揺動アーム５１のカムフォロア５３および下方揺動アーム５６のカムフォロア５８が、カム軸６０からの距離が最小のカムローブと当接するまでの間、カムモータ８４は、駆動され続けて、第一カム６１および第二カム６２は回転されるが、上方加締爪２５が、Ｍ枚の集積硬貨Ｃのうち、最上の硬貨Ｃの上面に当接した後は、上方揺動アーム５１のカムフォロア５３は、第一カム６１のカムローブに当接していても、上方揺動アーム５１の先端部に取付けられたローラ５２が、上方加締爪アーム２８の下面から離れるため、第一カム６１と上方加締爪アーム２８との上方揺動アーム５１を介しての係合が解除され、他方、下方加締爪２６が、Ｍ枚の集積硬貨Ｃのうち、最下の硬貨ＣＣの下面に当接した後は、下方揺動アーム５６の先端部に取付けられたローラ５７は、下方加締爪アーム２９の上面に当接していても、カムフォロア５８が、第二カム６２のカムローブから離れるため、第二カム６２と下方加締爪アーム２９との下方揺動アーム５６を介しての係合は解除され、上方加締爪２５は、Ｍ枚の集積硬貨Ｃのうち、最上の硬貨Ｃの上面に当接した状態に保持され、下方加締爪２６が、Ｍ枚の集積硬貨Ｃのうち、最下の硬貨Ｃの下面に当接した状態に保持される。
【０２８２】
したがって、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接した後も、包装ローラ１６、１６、１６が回転され続けるときは、上方加締爪２５によって、包装ローラ１６、１６、１６によって挟持された集積硬貨Ｃのうち、最上の硬貨Ｃの上面が傷つけられ、下方加締爪２６によって、最下の硬貨Ｃの下面が傷つけられるおそれがあるが、本実施態様においては、集積硬貨Ｃのうち、最上の硬貨Ｃの上面に、上方加締爪２５が当接し、最下の硬貨Ｃの下面に、下方加締爪２６が当接した時点で、包装ローラ１６、１６、１６の回転が停止されるように構成されているから、Ｍ枚の集積硬貨Ｃの最上の硬貨Ｃの上面および最下の硬貨Ｃの下面が、上方加締爪２５および下方加締爪２６によって、傷つけられることを確実に防止することが可能になる。
【０２８３】
第一カム６１および第二カム６２は、さらに、回転され、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方揺動アーム５１と下方揺動アーム５６が、反対方向に、揺動を開始する。
【０２８４】
その結果、ロータリーエンコーダ１２０から入力される歯付きドラム１２２の回転角は、反対方向に変化し、歯付きドラム１２２の回転角が、再び、包装すべき金種の硬貨Ｃ基準回転角に等しくなると、上方加締爪２５が、Ｍ枚の集積硬貨Ｃの最上の硬貨Ｃの上面から離間し始めるとともに、下方加締爪２６が、最下の硬貨Ｃの下面から離間し始める。
【０２８５】
したがって、ロータリーエンコーダ１２０から入力された歯付きドラム１２２の回転角検出信号に基づいて、時間Ｔ６において、歯付きドラム１２２の回転角が、再び、包装すべき金種の硬貨Ｃ基準回転角に等しくなって、上方加締爪２５が、Ｍ枚の集積硬貨Ｃの最上の硬貨Ｃの上面から離間し始めるとともに、下方加締爪２６が、最下の硬貨Ｃの下面から離間し始めたと判定すると、コントロールユニット７０は、包装ローラモータ８１に駆動信号を出力して、包装ローラ１６、１６、１６を回転させる。
【０２８６】
加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様においては、上方加締爪２５および下方加締爪２６を離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０２８７】
上方加締爪２５および下方加締爪２６が離間を開始してから、所定の時間が経過すると、時間Ｔ７において、コントロールユニット７０は、包装ローラモータ８１に、駆動停止信号を出力して、包装ローラ１６、１６、１６の回転を停止させる。
【０２８８】
次いで、包装ローラ１６、１６、１６の回転が完全に停止した後、時間Ｔ８において、コントロールユニット７０は、支持ポストモータ８０に退避信号を出力して、硬貨支持ポスト１８を、包装ローラ１６、１６、１６の間の空間から離間した退避位置に移動させ、さらに、包装ローラ移動モータ８２に退避信号を出力して、包装ローラ１６、１６、１６を、それぞれの退避位置に移動させる。
【０２８９】
その結果、硬貨支持ポスト１８による支持および包装ローラ１６、１６、１６による包装硬貨ロールの挟持が解除され、Ｍ枚の集積硬貨Ｃが、包装紙１７によって、包装されて、生成された包装硬貨ロールは、ゲート（図示せず）が、硬貨包装部１５と第１のシュート（図示せず）を連通させる位置に保持されているため、第１のシュートを介して、包装硬貨ロール回収ボックス（図示せず）内に回収される。
【０２９０】
カムモータ８４は、さらに、回転し、ロータリーエンコーダ１２０から入力された歯付きドラム１２２の回転角検出信号に基づき、上方加締爪２５および下方加締爪２６が、退避位置に達したと判定すると、コントロールユニット７０は、カムモータ８４に駆動停止信号を出力して、１サイクルの集積硬貨Ｃの包装動作を完了させる。
【０２９１】
上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められつつ、上方加締爪２５および下方加締爪２６が近接し、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、包装硬貨ロールが生成された後においても、包装ローラ１６、１６、１６が回転され続けるときは、上方加締爪２５によって、Ｍ枚の集積硬貨Ｃのうち、最上の硬貨Ｃの上面が傷つけられ、下方加締爪２６によって、最下の硬貨Ｃの下面が傷つけられるおそれがあるが、本実施態様によれば、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められて、包装硬貨ロールが生成された時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０２９２】
また、本実施態様によれば、硬貨包装機の機構に変更を加えることなく、硬貨包装機の動作を制御する制御プログラムを変更するだけで、上方加締爪２５および下方加締爪２６によって、硬貨Ｃの表面が傷つけられることを確実に防止しつつ、集積硬貨Ｃの上下の包装紙１７の加締め部分１７ａ、１７ｂを、所望のように、加締めて、包装硬貨ロールを生成することが可能になる。
【０２９３】
さらに、加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様によれば、上方加締爪２５および下方加締爪２６を、集積硬貨Ｃから、離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０２９４】
また、本実施態様によれば、アブソルートタイプのロータリーエンコーダ３４に代えて、歯付きドラム１２２の回転角を検出するロータリーエンコーダ１２０を用いて、上方加締爪２５および下方加締爪２６の位置を検出しているから、硬貨包装機の構造を簡易化することができる。
【０２９５】
図１９は、本発明のさらに好ましい実施態様にかかる硬貨包装機の下方揺動アーム５６の揺動角度を検出するアーム揺動角度検出機構の略斜視図である。
【０２９６】
図１９に示されるように、本実施態様にかかる硬貨包装機の硬貨包装部１５は、図９に示されたディスク１０１とセンサ１０２を備えたロータリーエンコーダ１００に代えて、ギア１３１と歯付きドラム１３２を備え、下方加締爪２６のカムローブに当接するカムフォロア５８を支持している下方揺動アーム５６の揺動角を検出するロータリーエンコーダ１３０を備えている点を除き、図９に示された硬貨包装機の硬貨包装部１５と同様の構成を有している。
【０２９７】
図１９に示されるように、本実施態様にかかる硬貨包装機の硬貨包装部１５に設けられたロータリーエンコーダ１３０は、下方揺動アーム５６の軸５５に固定されたギア１３１と、その外周面に、ギア１３１と係合する多数の歯が形成された歯付きドラム１３２を備えており、歯付きドラム１３２の回転角を検出することによって、下方揺動アーム５６の揺動角を検出することができるように構成されている。
【０２９８】
本実施態様においては、上方揺動アーム５１に支持されたカムフォロア５３および下方揺動アーム５６に支持されたカムフォロア５８が、カム軸６０からの距離が最小のカムローブと当接しているときに、上方加締爪２５および下方加締爪２６が、包装ローラ１６、１６、１６によって挟持されている厚さが最小の金種の（Ｍ−１）枚の集積硬貨Ｃを挟持し得る位置に位置するように、第一カム６１および第二カム６２のカムプロファイルが決定されている。
【０２９９】
その結果、集積硬貨Ｃが包装すべきＭ枚の硬貨Ｃよりなる場合には、包装すべき金種のいかんにかかわらず、上方揺動アーム５１のカムフォロア５３および下方揺動アーム５６のカムフォロア５８が、カム軸６０からの距離が最小のカムローブと当接する前に、上方加締爪２５は、包装すべき集積硬貨Ｃの最上の硬貨Ｃの上面に当接するとともに、下方加締爪２６は、包装すべき集積硬貨Ｃの最下の硬貨Ｃの下面に当接し、その結果、上方加締爪２５および下方加締爪２６ならびに上方加締爪アーム２８ならびに下方加締爪アーム２９は、それ以上は、移動せず、さらに、第一カム６１および第二カム６２が回転すると、上方揺動アーム５１のカムフォロア５３は、第一カム６１のカムローブに当接しているが、上方揺動アーム５１の先端部に取付けられたローラ５２は、上方加締爪アーム２８の下面から離れ、他方、下方揺動アーム５６の先端部に取付けられたローラ５７は、下方加締爪アーム２９の上面に当接して、揺動を停止するが、カムフォロア５８は、第二カム６２のカムローブから離れて、第一カム６１と上方加締爪アーム２８との上方揺動アーム５１を介しての係合および第二カム６２と下方加締爪アーム２９との下方揺動アーム５６を介しての係合は解除されるようになっている。
【０３００】
したがって、下方揺動アーム５６の揺動角の変化を検出することによって、上方加締爪２５が、包装すべき集積硬貨Ｃの最上の硬貨Ｃの上面に当接し、下方加締爪２６が、包装すべき集積硬貨Ｃの最下の硬貨Ｃの下面に当接した時点および上方加締爪２５が、包装すべき集積硬貨Ｃの最上の硬貨Ｃの上面から離間し始め、下方加締爪２６が、包装すべき集積硬貨Ｃの最下の硬貨Ｃの下面から離間し始めた時点を検出することができる。
【０３０１】
図２０は、本実施態様にかかる硬貨包装機の制御系、検出系および駆動系を示すブロックダイアグラムである。
【０３０２】
図２０に示されるように、本実施態様にかかる硬貨包装機の制御系、検出系および駆動系は、上方加締爪２５および下方加締爪２６の上下方向の移動量を検出するロータリーエンコーダ３４、上方加締爪２５および下方加締爪２６が退避位置に位置していることを検出するフォトセンサ６７および上方加締爪２５が最下位置に位置し、下方加締爪２６が最上位置に位置していることを検出するフォトセンサ６８に代えて、歯付きドラム１３２の回転角を検出するロータリーエンコーダ１３０を備えている点を除き、図３に示された硬貨包装機の制御系、検出系および駆動系と同様の構成を有している。
【０３０３】
本実施態様においては、包装ローラ１６、１６、１６によって挟持されたＭ枚の集積硬貨Ｃのうち、最上の硬貨Ｃの上面に、上方加締爪２５が当接し、最下の硬貨Ｃの下面に、下方加締爪２６が当接しているときに、ロータリーエンコーダ１３０から出力されるべき歯付きドラム１３２の回転角が、硬貨Ｃの金種ごとに、基準回転角として、ＲＯＭ７１に記憶され、上方加締爪２５および下方加締爪２６が、退避位置に位置しているときに、ロータリーエンコーダ１３０から出力されるべき歯付きドラム１３２の回転角が、退避位置回転角として、ＲＯＭ７１に記憶されている。
【０３０４】
以上のように構成された本発明の実施態様にかかる硬貨包装機は、以下のようにして、所定枚数Ｍの集積硬貨Ｃを包装し、包装硬貨ロールを生成する。
【０３０５】
オペレータが、硬貨包装機に、包装指示信号と包装すべき硬貨Ｃの金種を特定する金種特定信号を入力すると、包装指示信号および金種特定信号は、コントロールユニット７０に入力される。
【０３０６】
包装指示信号および金種特定信号を受けると、コントロールユニット７０は、まず、ＲＯＭ７１に記憶された包装すべき金種の硬貨Ｃの基準回転角を読み出し、ＲＡＭ７２に記憶させる。
【０３０７】
次いで、コントロールユニット７０は、回転円板モータ７５に駆動信号を出力して、回転円板１を回転させるとともに、搬送ベルトモータ７６に駆動信号を出力して、搬送ベルト５を駆動させる。
【０３０８】
硬貨投入口（図示せず）から、硬貨包装機内に投入された硬貨Ｃは、搬送ベルト（図示せず）により搬送されて、回転している回転円板１上に送られる。
【０３０９】
回転円板１上に送られた硬貨Ｃは、回転円板１の回転によって生ずる遠心力により、環状のガイド部材（図示せず）に沿って、環状のガイド部材の開口部から、硬貨選別通路２内に、１枚づつ、送り出される。
【０３１０】
ここに、硬貨選別通路２の通路幅を決定する一対のガイド部材３、４の間隙は、包装すべき金種の硬貨Ｃよりも径の大きい硬貨Ｃが通過できないように設定されており、したがって、包装すべき金種の硬貨Ｃよりも径の大きい金種の硬貨Ｃは、回転円板１上に残留し、包装すべき金種の硬貨Ｃおよびそれよりも径の小さい硬貨Ｃのみが、硬貨選別通路２内に、１枚づつ、送り出される。
【０３１１】
また、一対のガイド部材３、４の間隙は、包装すべき金種の硬貨Ｃよりも径の小さい硬貨Ｃよりも大きく設定されているため、包装すべき金種の硬貨Ｃよりも径の小さい硬貨Ｃは、一対のガイド部材３、４の間から、落下して、回収される。
【０３１２】
硬貨選別通路２内に送り出された包装すべき金種の硬貨Ｃは、センサ６により、その金種が判別されるとともに、枚数が計数されて、硬貨選別通路２内を硬貨集積部７に向けて送られる。
【０３１３】
センサ６の検出信号および計数信号は、コントロールユニット７０に出力され、センサ６から検出信号および計数信号を受けると、コントロールユニット７０は、センサ６の検出結果および計数結果をＲＡＭ７２に記憶させる。
【０３１４】
同時に、コントロールユニット７０は、集積ドラムモータ７８に駆動信号を出力して、一対の集積ドラム９を回転させる。
【０３１５】
ＲＡＭ７２に記憶されたセンサ６の検出結果および計数結果に基づき、包装すべき所定枚数Ｍの硬貨Ｃが硬貨集積部７に送られたと判定すると、コントロールユニット７０は、ストッパソレノイド７７に駆動信号を出力し、ストッパを硬貨選別通路２内に突出させて、後続硬貨Ｃが硬貨集積部７内に送られるのを防止するとともに、回転円板モータ７５および搬送ベルトモータ７６に駆動停止信号を出力して、回転円板１の回転および搬送ベルト５の駆動を停止させる。
【０３１６】
同時に、コントロールユニット７０は、所定時間にわたり、集積ドラムモータ７８に駆動信号を出力するとともに、支持ポストモータ８０に駆動信号を出力して、硬貨支持ポスト１８をシャッタ１０の直下の待機位置に向けて移動させる。
【０３１７】
硬貨集積部７内に送られた硬貨Ｃは、一対の集積ドラム９の外表面に形成されたらせん状突起８の上面により支持される。次々に、硬貨集積部７内に送られる硬貨Ｃは、硬貨ガイド部材（図示せず）によってガイドされつつ、集積ドラム９の回転にしたがって、らせん状突起８の上面に集積される。
【０３１８】
こうして、包装すべき所定枚数Ｍの硬貨Ｃが一対の集積ドラム９のらせん状突起８の上面に集積されて、シャッタ１０の近傍まで下降すると、集積硬貨Ｃはシャッタ１０上に受け渡される。
【０３１９】
ストッパソレノイド７７が駆動されてから、所定時間が経過し、集積硬貨Ｃがシャッタ１０上に受け渡され、かつ、硬貨支持ポスト１８がシャッタ１０の直下の待機位置に達したと判定すると、コントロールユニット７０は、シャッタソレノイド７９に駆動信号を出力して、シャッタ１０を開き、シャッタ１０上に載置されている集積硬貨Ｃを、待機位置に位置している硬貨支持ポスト１８の上面に受け渡させる。
【０３２０】
次いで、コントロールユニット７０は、支持ポストモータ８０に駆動信号を出力して、アーム２０を支軸１９に沿って、下降させる。
【０３２１】
図２１は、包装紙供給モータ８３、包装ローラモータ８１および包装ローラ移動モータ８２の動作を示すタイミングチャートである。
【０３２２】
図２１に示されるように、集積硬貨Ｃを支持した硬貨支持ポスト１８が下降し、包装位置に達すると、時間Ｔ１において、コントロールユニット７０は、包装紙供給モータ８３に駆動信号を出力して、包装紙供給ローラ２２を、低速で、回転させ、包装紙ロール２１から、包装紙１７を送り出させる。
【０３２３】
その結果、包装紙ロール２１から送り出された包装紙１７の先端部が、３本の包装ローラ１６、１６、１６と硬貨支持ポスト１８上に支持されている集積硬貨Ｃとの間に送り込まれる。
【０３２４】
次いで、時間Ｔ２において、コントロールユニット７０は、包装ローラ移動モータ８２に包装信号を出力して、３本の包装ローラ１６、１６、１６を互いに近接するように、それぞれの包装位置に移動させ、硬貨支持ポスト１８上に支持された集積硬貨Ｃを、包装ローラ１６、１６、１６によって、包装紙１７を介して、挟持させる。
【０３２５】
次いで、時間Ｔ３において、コントロールユニット７０は、包装ローラモータ８１に駆動信号を出力して、包装ローラ１６、１６、１６を回転させる。
【０３２６】
その結果、包装ローラ１６、１６、１６によって挟持された集積硬貨Ｃの周囲に、包装紙１７が巻き付けられる。
【０３２７】
次いで、時間Ｔ４において、コントロールユニット７０は、包装紙供給ローラ２２に駆動停止信号を出力して、包装紙供給ローラ２２を停止させる。
【０３２８】
その結果、包装紙供給ローラ２２と包装ローラ１６、１６、１６との間で、包装紙１７が緊張状態になって、カッタ２３に当接し、カッタ２３によって、包装紙１７が切断される。
【０３２９】
こうして、包装ローラ１６、１６、１６の回転にともなって、包装ローラ１６、１６、１６によって挟持された集積硬貨Ｃの周囲に、包装紙１７が巻き付けられる。
【０３３０】
所定の長さの包装紙１７が、たとえば、集積硬貨Ｃの外周の２倍の長さの包装紙１７が、包装紙ロール２１から、集積硬貨Ｃの周囲に供給されて、包装ローラ１６、１６、１６によって挟持された集積硬貨Ｃの周囲に巻き付けられると、コントロールユニット７０は、カムモータ８４に駆動信号を出力して、上方加締爪２５および下方加締爪２６を、集積硬貨Ｃの最上の硬貨Ｃの上面および最下の硬貨Ｃの下面に向けて、移動させる。
【０３３１】
上方加締爪２５および下方加締爪２６の移動に伴って、上方加締爪２５によって、集積硬貨Ｃの周囲に巻回された包装紙１７の上端部近傍の加締め部分１７ａが加締められ、下方加締爪２６によって、包装紙１７の下端部近傍の加締め部分１７ｂが加締められる。
【０３３２】
本実施態様においては、上方加締爪２５の最下位置および下方加締爪２６の最上位置が、厚さが最小の金種の（Ｍ−１）枚の集積硬貨Ｃを挟持し得る位置に設定されているから、包装ローラ１６、１６、１６によって挟持された集積硬貨Ｃに含まれている硬貨Ｃの枚数が（Ｍ−１）枚以上のときは、上方加締爪２５が、包装ローラ１６、１６、１６によって挟持されている集積硬貨Ｃの最上の硬貨Ｃの上面に当接し、下方加締爪２６が、最下の硬貨Ｃの下面に当接する。
【０３３３】
上方加締爪２５が、包装ローラ１６、１６、１６によって挟持されている集積硬貨Ｃの最上の硬貨Ｃの上面に当接し、下方加締爪２６が、最下の硬貨Ｃの下面に当接すると、下方揺動アーム５６の先端部に取付けられたローラ５７が、下方加締爪アーム２９の上面に当接し、第二カム６２が、さらに回転されても、下方揺動アーム５６は、それ以上、揺動しなくなり、ロータリーエンコーダ１３０から、コントロールユニット７０に出力される歯付きドラム１３２の回転角も変化しなくなる。
【０３３４】
そこで、本実施態様においては、コントロールユニット７０は、ロータリーエンコーダ３４から出力される歯付きドラム１３２の回転角の変化率をモニターするように構成されており、ロータリーエンコーダ３４から入力された歯付きドラム１３２の回転角の変化率がゼロになったと判定すると、時間Ｔ５において、コントロールユニット７０は、包装ローラモータ８１に駆動停止信号を出力して、包装ローラ１６、１６、１６の回転を停止させる。
【０３３５】
その結果、上方加締爪２５が、集積硬貨Ｃの周囲に巻回された包装紙１７の上端部近傍の加締め部分１７ａを加締めつつ、包装ローラ１６、１６、１６によって挟持された集積硬貨Ｃのうち、最上の硬貨Ｃの上面に当接するとともに、下方加締爪２６が、包装紙１７の下端部近傍の加締め部分１７ｂを加締めつつ、包装ローラ１６、１６、１６によって挟持された集積硬貨Ｃのうち、最下の硬貨Ｃの下面に当接し、包装硬貨ロールが生成された時点で、包装ローラ１６、１６、１６が停止される。
【０３３６】
本実施態様においては、上方加締爪２５の最下位置および下方加締爪２６の最上位置は、厚さが最小の金種のＭ枚の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されているから、厚さが最小の金種以外の（Ｍ−１）枚の集積硬貨Ｃが、包装ローラ１６、１６、１６によって、挟持されているとき、あるいは、包装すべき枚数であるＭ枚以上の硬貨Ｃを含む集積硬貨Ｃが、包装ローラ１６、１６、１６によって、挟持されているときは、集積硬貨Ｃのうち、最上の硬貨Ｃの上面に、上方加締爪２５が当接し、最下の硬貨Ｃの下面に、下方加締爪２６が当接しても、上方揺動アーム５１のカムフォロア５３および下方揺動アーム５６のカムフォロア５８が、カム軸６０からの距離が最小のカムローブと当接するまでの間、カムモータ８４は、駆動され続けて、第一カム６１および第二カム６２は回転されるが、上方加締爪２５が、Ｍ枚の集積硬貨Ｃのうち、最上の硬貨Ｃの上面に当接した後は、上方揺動アーム５１のカムフォロア５３は、第一カム６１のカムローブに当接していても、上方揺動アーム５１の先端部に取付けられたローラ５２が、上方加締爪アーム２８の下面から離れるため、第一カム６１と上方加締爪アーム２８との上方揺動アーム５１を介しての係合が解除され、他方、下方加締爪２６が、Ｍ枚の集積硬貨Ｃのうち、最下の硬貨Ｃの下面に当接した後は、下方揺動アーム５６の先端部に取付けられたローラ５７は、下方加締爪アーム２９の上面に当接していても、カムフォロア５８が、第二カム６２のカムローブから離れるため、第二カム６２と下方加締爪アーム２９との下方揺動アーム５６を介しての係合は解除され、上方加締爪２５は、Ｍ枚の集積硬貨Ｃのうち、最上の硬貨Ｃの上面に当接した状態に保持され、下方加締爪２６が、Ｍ枚の集積硬貨Ｃのうち、最下の硬貨Ｃの下面に当接した状態に保持される。
【０３３７】
したがって、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接した後も、包装ローラ１６、１６、１６が回転され続けるときは、上方加締爪２５によって、包装ローラ１６、１６、１６によって挟持された集積硬貨Ｃのうち、最上の硬貨Ｃの上面が傷つけられ、下方加締爪２６によって、最下の硬貨Ｃの下面が傷つけられるおそれがあるが、本実施態様においては、集積硬貨Ｃのうち、最上の硬貨Ｃの上面に、上方加締爪２５が当接し、最下の硬貨Ｃの下面に、下方加締爪２６が当接した時点で、包装ローラ１６、１６、１６の回転が停止されるように構成されているから、Ｍ枚の集積硬貨Ｃの最上の硬貨Ｃの上面および最下の硬貨Ｃの下面が、上方加締爪２５および下方加締爪２６によって、傷つけられることを確実に防止することが可能になる。
【０３３８】
ロータリーエンコーダ１３０から入力された歯付きドラム１３２の回転角の変化率がゼロになったと判定すると、コントロールユニット７０は、同時に、ＲＡＭ７２に記憶されているその金種の硬貨Ｃの基準回転角を読み出し、変化率がゼロになった時点で、ロータリーエンコーダ１３０から入力された歯付きドラム１３２の回転角と比較する。
【０３３９】
その結果、ロータリーエンコーダ１３０から入力された歯付きドラム１３２の回転角が、ＲＡＭ７２から読み出されたその金種の硬貨Ｃの基準回転角と一致しないときは、包装ローラ１６、１６、１６によって挟持された集積硬貨Ｃの枚数が、包装すべき枚数Ｍを越えているか、あるいは、包装すべき枚数Ｍに満たないかのいずれかと考えられるから、コントロールユニット７０は、ゲートソレノイド８５に駆動信号を出力して、ゲート（図示せず）を、硬貨包装部１５と第２のシュート（図示せず）とを連通させる位置に位置させる。
【０３４０】
これに対して、ロータリーエンコーダ１３０から入力された歯付きドラム１３２の回転角が、ＲＡＭ７２から読み出されたその金種の硬貨Ｃの基準回転角と一致しているときは、包装ローラ１６、１６、１６によって、挟持されている集積硬貨Ｃに含まれている硬貨Ｃの枚数が包装すべき枚数Ｍに等しいと考えられるから、コントロールユニット７０は、何の信号も出力せず、ゲートは、硬貨包装部１５と第１のシュート（図示せず）とを連通させる位置に保持される。
【０３４１】
第一カム６１および第二カム６２は、さらに、回転され、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方揺動アーム５１と下方揺動アーム５６が、反対方向に、揺動を開始する。
【０３４２】
その結果、上方加締爪２５が、包装ローラ１６、１６、１６によって挟持された集積硬貨Ｃの最上の硬貨Ｃの上面から離間し始めるとともに、下方加締爪２６が、集積硬貨Ｃの最下の硬貨Ｃの下面から離間し始めると、下方揺動アーム５６も、下方加締爪アーム２９の上面から離間し始めるから、下方揺動アーム５６が、再び、揺動され、ロータリーエンコーダ１３０から、コントロールユニット７０に出力される歯付きドラム１３２の回転角が、再び、変化し始める。
【０３４３】
ロータリーエンコーダ１３０から入力された歯付きドラム１３２の回転角が、再び、変化し始めると、時間Ｔ６において、コントロールユニット７０は、包装ローラモータ８１に、駆動信号を出力して、包装ローラ１６、１６、１６を回転させる。
【０３４４】
加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様においては、上方加締爪２５および下方加締爪２６を離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０３４５】
これに対して、包装ローラ１６、１６、１６によって、挟持された集積硬貨Ｃに含まれている硬貨Ｃの枚数が（Ｍ−２）枚以下のときは、上方加締爪２５の最下位置および下方加締爪２６の最上位置が、厚さが最小の金種の（Ｍ−１）枚の集積硬貨Ｃを挟持し得る位置になるように、第一カム６１および第二カム６２のカムプロファイルが決定されているから、包装ローラ１６、１６、１６によって挟持された集積硬貨Ｃのうち、最上の硬貨Ｃの上面に、上方加締爪２５が当接し、最下の硬貨Ｃの下面に、下方加締爪２６が当接することはなく、したがって、包装ローラ１６、１６、１６の回転は停止されないまま、上方揺動アーム５１に支持されたカムフォロア５３および下方揺動アーム５６に支持されたカムフォロア５８が、第一カム６１および第二カム６２のカム軸６０からの距離が最小のカムローブと当接した時点で、上方加締爪２５と下方加締爪２６とが、互いに離間し始める。
【０３４６】
上方加締爪２５および下方加締爪２６が離間を開始してから、所定の時間が経過すると、時間Ｔ７において、コントロールユニット７０は、包装ローラモータ８１に、駆動停止信号を出力して、包装ローラ１６、１６、１６の回転を停止させる。
【０３４７】
次いで、包装ローラ１６、１６、１６の回転が完全に停止した後、時間Ｔ８において、コントロールユニット７０は、支持ポストモータ８０に退避信号を出力して、硬貨支持ポスト１８を、包装ローラ１６、１６、１６の間の空間から離間した退避位置に移動させ、さらに、包装ローラ移動モータ８２に退避信号を出力して、包装ローラ１６、１６、１６を、それぞれの退避位置に移動させる。
【０３４８】
その結果、硬貨支持ポスト１８による支持および包装ローラ１６、１６、１６による包装硬貨ロールの挟持が解除され、コントロールユニット７０が、包装紙１７によって包装された集積硬貨Ｃに所定枚数Ｍに等しい枚数の硬貨Ｃが含まれていると判定していたときは、ゲート（図示せず）が、硬貨包装部１５と第１のシュート（図示せず）を連通させる位置に保持されているから、生成された包装硬貨ロールは、第１のシュートを介して、包装硬貨ロール回収ボックス（図示せず）内に回収される。
【０３４９】
一方、コントロールユニット７０が、包装紙１７によって包装された集積硬貨Ｃに含まれている硬貨Ｃの枚数が所定枚数Ｍに満たないか、あるいは、所定枚数Ｍを越えていると判定していたときは、ゲート（図示せず）が、硬貨包装部１５と第２のシュート（図示せず）を連通させる位置に位置させられているから、生成された硬貨枚数に過不足のある包装硬貨ロールは、第２のシュートを介して、硬貨回収ボックス（図示せず）内に回収される。
【０３５０】
カムモータ８４が、さらに、回転し、ロータリーエンコーダ１３０から入力された歯付きドラム１３２の回転角が、ＲＯＭ７１に記憶されている退避位置回転角に等しくなったと判定すると、コントロールユニット７０は、カムモータ８４に駆動停止信号を出力して、１サイクルの集積硬貨Ｃの包装動作を完了させる。
【０３５１】
上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められつつ、上方加締爪２５および下方加締爪２６が近接し、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、包装硬貨ロールが生成された後においても、包装ローラ１６、１６、１６が回転され続けるときは、上方加締爪２５によって、Ｍ枚の集積硬貨Ｃのうち、最上の硬貨Ｃの上面が傷つけられ、下方加締爪２６によって、最下の硬貨Ｃの下面が傷つけられるおそれがあるが、本実施態様によれば、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接して、上方加締爪２５によって、集積硬貨Ｃの周囲に巻回された包装紙１７の上端部近傍の加締め部分１７ａを加締められ、下方加締爪２６によって、包装紙１７の下端部近傍の加締め部分１７ｂが加締められて、包装硬貨ロールが生成された時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０３５２】
さらに、本実施態様によれば、硬貨包装機の機構に変更を加えることなく、硬貨包装機の動作を制御する制御プログラムを変更するだけで、上方加締爪２５および下方加締爪２６によって、硬貨Ｃの表面が傷つけられることを確実に防止しつつ、集積硬貨Ｃの上下の包装紙１７の加締め部分１７ａ、１７ｂを、所望のように、加締めて、包装硬貨ロールを生成することが可能になる。
【０３５３】
また、本実施態様によれば、包装ローラ１６、１６、１６によって挟持された集積硬貨Ｃに、（Ｍ−１）枚以上の硬貨Ｃが含まれていれば、集積硬貨Ｃに含まれている硬貨Ｃの枚数が包装すべき枚数Ｍに一致していなくても、集積硬貨Ｃは包装紙１７によって、包装され、包装硬貨ロールが生成されるから、第２のシュートを介して、確実に、硬貨回収ボックス内に回収することができ、また、上方加締爪２５が、包装ローラ１６、１６、１６によって挟持された集積硬貨Ｃのうちの最上の硬貨Ｃの上面に当接し、下方加締爪２６が、最下の硬貨Ｃの下面に当接した時点で、包装ローラ１６、１６、１６の回転が停止されるように、コントロールユニット７０によって、包装ローラモータ８１が制御されているから、包装すべき集積硬貨Ｃの最上の硬貨Ｃの上面および最下の硬貨Ｃの下面が、上方加締爪２５および下方加締爪２６によって、傷つけられることを確実に防止することが可能になる。
【０３５４】
さらに、加締め動作完了後に、包装ローラ１６、１６、１６を停止させた状態で、上方加締爪２５および下方加締爪２６を離間させるときは、上方加締爪２５および下方加締爪２６によって、加締められた包装紙１７の上端部近傍の加締め部分１７ａおよび下端部近傍の加締め部分１７ｂが、加締められる前の状態に復帰することがあるが、本実施態様によれば、上方加締爪２５および下方加締爪２６を、集積硬貨Ｃから、離間させる際に、包装ローラ１６、１６、１６を回転させているから、上方加締爪２５および下方加締爪２６によって、加締められた包装紙１７の上端部近傍の加締め部分１７ａおよび下端部近傍の加締め部分１７ｂが、加締められる前の状態に復帰することを効果的に防止することができる。
【０３５５】
また、本実施態様によれば、上方加締爪２５の最下位置および下方加締爪２６の最上位置は、包装すべき枚数Ｍに等しい枚数の厚さが最小の金種の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されるとともに、ロータリーエンコーダ１３０から、出力される歯付きドラム１３２の回転角に基づいて、上方加締爪２５が、包装すべき集積硬貨Ｃの最上の硬貨Ｃの上面に当接し、下方加締爪２６が、最下の硬貨Ｃの下面に当接したことを検出することができるように構成されているから、包装ローラ１６、１６、１６によって挟持された集積硬貨Ｃに含まれている硬貨Ｃの枚数の過不足を、精度良く、検出することができ、包装紙１７によって、包装ローラ１６、１６、１６によって挟持された集積硬貨Ｃを、包装することにより、包装すべきＭ枚の硬貨Ｃを含む包装硬貨ロールを、つねに、生成することが可能になる。
【０３５６】
また、本実施態様によれば、アブソルートタイプのロータリーエンコーダ３４に代えて、歯付きドラム１３２の回転角を検出するロータリーエンコーダ１３０を用いて、上方加締爪２５が、包装すべき集積硬貨Ｃの最上の硬貨Ｃの上面に当接し、下方加締爪２６が、最下の硬貨Ｃの下面に当接したことを検出しているから、硬貨包装機の構造を簡易化することができる。
【０３５７】
本発明は、以上の実施態様に限定されることなく、特許請求の範囲に記載された発明の範囲内で種々の変更が可能であり、それらも本発明の範囲内に包含されるものであることはいうまでもない。
【０３５８】
たとえば、図１ないし図４に示された実施態様ならびに図５および図６に示された実施態様においては、ロータリーエンコーダ３４から出力される絶対位置データに基づいて、上方加締爪２５が、包装ローラ１６、１６、１６によって挟持されている集積硬貨Ｃの最上の硬貨Ｃの上面に当接し、下方加締爪２６が、最下の硬貨Ｃの下面に当接したことを検出し、その時点で、コントロールユニット７０が、包装ローラモータ８１あるいは駆動モータ８６に駆動停止信号を出力して、包装ローラ１６、１６、１６の回転を停止させるように構成されているが、カムモータ８４の駆動を開始してから、３本の包装ローラ１６、１６、１６によって挟持されている包装すべきＭ枚の集積硬貨Ｃのうち、最上の硬貨Ｃの上面に、上方加締爪２５が当接し、最下の硬貨Ｃの下面に、下方加締爪２６が当接するのに要する金種ごとのカムモータ８４の基準駆動時間Ｔを、ＲＡＭ７２に記憶させておき、カムモータ８４の駆動を開始してから、基準駆動時間Ｔが経過した時点で、包装ローラモータ８１あるいは駆動モータ８６に駆動停止信号を出力して、包装ローラ１６、１６、１６の回転を停止させるように構成することもできる。
【０３５９】
また、図１ないし図４に示された実施態様ならびに図５および図６に示された実施態様においては、集積硬貨Ｃを包装する際に、包装ローラ１６、１６、１６によって挟持された硬貨Ｃの枚数が、包装すべき枚数Ｍに過不足があるか否かを検出するために、上方加締爪２５の最下位置および下方加締爪２６の最上位置が、厚さが最小の金種のＭ枚の集積硬貨Ｃを挟持し得る位置より、前者はさらに下方に、後者はさらに上方に設定され、厚さが最小の金種の（Ｍ−１）枚の集積硬貨Ｃを挟持し得る位置に設定されているが、集積硬貨Ｃを包装する際に、包装ローラ１６、１６、１６によって挟持された硬貨Ｃの枚数が、包装すべき枚数Ｍに過不足があるか否かを検出することは必ずしも必要でなく、集積硬貨Ｃを包装する際に、包装ローラ１６、１６、１６によって挟持された硬貨Ｃの枚数が、包装すべき枚数Ｍに過不足があるか否かを検出しない場合には、上方加締爪２５の最下位置および下方加締爪２６の最上位置を、厚さが最小の金種のＭ枚の集積硬貨Ｃを挟持し得る位置に設定すればよい。
【０３６０】
さらに、図１ないし図４に示された実施態様ならびに図５および図６に示された実施態様においては、上方加締爪アーム２８にラック３２が、下方加締爪アーム２９にピニオン３３が、それぞれ、取付けられているが、下方加締爪アーム２９にラック３２を固定するとともに、上方加締爪アーム２８にピニオン３３を回転自在に取付けるようにしてもよい。
【０３６１】
また、図７ないし図１３に示された実施態様、図１４および図１５に示された実施態様ならびに図１６および図１７に示された実施態様においては、光源９０、スリット９１、ラインセンサ９２およびシリンドリカルレンズ９３を用いて、硬貨支持ポスト１８上に支持された硬貨Ｃの枚数を検出しているが、光源９０、スリット９１、ラインセンサ９２およびシリンドリカルレンズ９３を用いて、硬貨支持ポスト１８上に支持された硬貨Ｃの枚数を検出することは必ずしも必要でなく、任意の方法によって、硬貨支持ポスト１８上に支持された硬貨Ｃの枚数を検出することができる。
【０３６２】
さらに、図７ないし図１３に示された実施態様、図１４および図１５に示された実施態様ならびに図１６および図１７に示された実施態様においては、水平方向に複数の受光素子を備えたラインセンサ９２により、硬貨Ｃの側面からの反射光を検出しているが、ラインセンサ９２に代えて、１つの受光素子を設けて、反射光を検出するようにすることもできる。
【０３６３】
また、図７ないし図１３に示された実施態様、図１４および図１５に示された実施態様ならびに図１６および図１７に示された実施態様においては、ラインセンサ９２からの出力波形に基づき、硬貨支持ポスト１８を検出しているが、支持ポストモータ８０の回転量にしたがって、硬貨支持ポスト１８を検出するようにしてもよい。
【０３６４】
さらに、図７ないし図１３に示された実施態様、図１４および図１５に示された実施態様ならびに図１６および図１７に示された実施態様においては、光源９０、スリット９１、シリンドリカルレンズ９３およびラインセンサ９２を硬貨集積部７と硬貨包装部１５の間の同一水平面内に設けているが、スペースの許す範囲内で、これらを垂直方向に異なった位置に設けることもできる。
【０３６５】
また、図７ないし図１３に示された実施態様においては、ディスク１０１と、ディスク１０１に形成されたパターンを読み取るセンサ１０２を備え、上方加締爪２５を移動させる第一カム６１および下方加締爪２６を移動させる第二カム６２の回転角度を検出するロータリーエンコーダ１００が用いられ、図１４および図１５に示された実施態様においては、ギア１１１と、その外周面に、ギア１１１と係合する多数の歯が形成された歯付きドラム１１２を備え、上方加締爪２５を移動させる第一カム６１および下方加締爪２６を移動させる第二カム６２の回転角度を検出するロータリーエンコーダ１１０が用いられ、さらに、図１６および図１７に示された実施態様においては、ギア１２１と、その外周面に、ギア１２１と係合する多数の歯が形成された歯付きドラム１２２を備え、上方加締爪２５のカムローブに当接するカムフォロア５３を支持している上方揺動アーム５１の揺動角を検出するロータリーエンコーダ１２０が用いられているが、ロータリーエンコーダ１００、１１０、１２０の構成は、格別限定されるものではなく、任意の構成のロータリーエンコーダを用いることができる。
【０３６６】
さらに、前記実施態様においては、上方加締爪２５が、集積硬貨Ｃのうち、最上の硬貨Ｃの上面から離間し始め、下方加締爪２６が、最下の硬貨Ｃの下面から離間し始めたときに、包装ローラ１６、１６、１６の回転を再開するように構成されているが、上方加締爪２５が、集積硬貨Ｃのうち、最上の硬貨Ｃの上面から離間し始め、下方加締爪２６が、最下の硬貨Ｃの下面から離間し始める直前に、包装ローラ１６、１６、１６の回転を再開するように構成してもよい。
【０３６７】
また、本発明において、各手段は、必ずしも物理的な手段を意味するものではなく、各手段の機能がソフトウエアによって実現されるものであってもよい。さらに、一つの手段の機能が二以上の物理的手段によって実現されても、二以上の手段の機能が一つの物理的手段によって実現されてもよい。
【０３６８】
【発明の効果】
本発明によれば、包装すべき硬貨の表面の損傷および包装紙の破損を確実に防止することができ、所定枚数の集積硬貨を、所望のように、包装紙によって、包装することができる硬貨包装機を提供することが可能になる。
【図面の簡単な説明】
【図１】図１は、本発明の好ましい実施態様にかかる硬貨包装機の内部機構を示す略斜視図である。
【図２】図２は、本発明の好ましい実施態様にかかる硬貨包装機の硬貨包装部の略斜視図である。
【図３】図３は、本発明の好ましい実施態様にかかる硬貨包装機の制御系、検出系および駆動系を示すブロックダイアグラムである。
【図４】図４は、包装紙供給モータ、包装ローラモータおよび包装ローラ移動モータの動作を示すタイミングチャートである。
【図５】図５は、本発明の別の好ましい実施態様にかかる硬貨包装機の制御系、検出系および駆動系を示すブロックダイアグラムである。
【図６】図６は、駆動モータ、包装ローラ移動モータおよびクラッチの動作ならびに低速切換え信号および高速切換え信号の出力タイミングを示すタイミングチャートである。
【図７】図７は、本発明の他の好ましい実施態様にかかる硬貨包装機の硬貨集積部と硬貨包装部の略側面図である。
【図８】図８は、光源、スリット、ラインセンサおよびシリンドリカルレンズの配置を示す略平面図である。
【図９】図９は、上方加締爪を移動させる第一カムおよび下方加締爪を移動させる第二カムの回転角度検出機構の略斜視図である。
【図１０】図１０は、本発明のさらに他の好ましい実施態様にかかる硬貨包装機の制御系、検出系および駆動系を示すブロックダイアグラムである。
【図１１】図１１は、集積硬貨に対して、ラインセンサが、どのような検出波形を生成するかを示すグラフである。
【図１２】図１２は、コントロールユニットによって二値化された検出データを示すグラフである。
【図１３】図１３は、包装紙供給モータ、包装ローラモータおよび包装ローラ移動モータの動作を示すタイミングチャートである。
【図１４】図１４は、本発明のさらに好ましい実施態様にかかる硬貨包装機の上方加締爪を移動させる第一カムおよび下方加締爪を移動させる第二カムの回転角度検出機構の略斜視図である。
【図１５】図１５は、本発明のさらに他の好ましい実施態様にかかる硬貨包装機の制御系、検出系および駆動系を示すブロックダイアグラムである。
【図１６】図１６は、本発明のさらに好ましい実施態様にかかる硬貨包装機の上方揺動アームの揺動角度を検出するアーム揺動角度検出機構の略斜視図である。
【図１７】図１７は、本発明のさらに他の好ましい実施態様にかかる硬貨包装機の制御系、検出系および駆動系を示すブロックダイアグラムである。
【図１８】図１８は、包装紙供給モータ、包装ローラモータおよび包装ローラ移動モータの動作を示すタイミングチャートである。
【図１９】図１９は、本発明のさらに好ましい実施態様にかかる硬貨包装機の下方揺動アームの揺動角度を検出するアーム揺動角度検出機構の略斜視図である。
【図２０】図２０は、本発明のさらに他の好ましい実施態様にかかる硬貨包装機の制御系、検出系および駆動系を示すブロックダイアグラムである。
【図２１】図２１は、包装紙供給モータ、包装ローラモータおよび包装ローラ移動モータの動作を示すタイミングチャートである。
【符号の説明】
１　回転円板
２　硬貨選別通路
ガイド部材
５　搬送ベルト
６　センサ
７　硬貨集積部
８　らせん状突起
９　集積ドラム
１０　シャッタ
１５　硬貨包装部
１６　包装ローラ
１７　包装紙
１７ａ　包装紙の上端部近傍の加締め部分
１７ｂ　包装紙の下端部近傍の加締め部分
１８　硬貨支持ポスト
１９　支軸
２０　アーム
２１　包装紙ロール
２２　包装紙供給ローラ
２３　カッタ
２５　上方加締爪
２６　下方加締爪
２８　上方加締爪アーム
２９　下方加締爪アーム
３０、３１　ガイドロッド
３２　ラック
３３　ピニオン
３４　ロータリーエンコーダ
３５　ガイドローラ
４０、４１　プーリ
４２　スプリング
５０　軸
５１　上方揺動アーム
５２　ローラ
５３　カムフォロア
５５　軸
５６　下方揺動アーム
５７　ローラ
５８　カムフォロア
６０　カム軸
６１　第一カム
６２　第二カム
６５　円板
６６　光透過孔
６７　フォトセンサ
６８　フォトセンサ
７０　コントロールユニット
７１　ＲＯＭ
７２　ＲＡＭ
７５　回転円板モータ
７６　搬送ベルトモータ
７７　ストッパソレノイド
７８　集積ドラムモータ
７９　シャッタソレノイド
８０　支持ポストモータ
８１　包装ローラモータ
８２　包装ローラ移動モータ
８３　包装紙供給モータ
８４　カムモータ
８５　ゲートソレノイド
８６　駆動モータ
８７　変速機
８８　クラッチ
８９　変速機構
９０　光源
９１　スリット
９２　ラインセンサ
９３　シリンドリカルレンズ
１００　ロータリーエンコーダ
１０１　ディスク
１０１ａ　ディスクの軸
１０２　センサ
１０５　駆動回路
１１０　ロータリーエンコーダ
１１１　ギア
１１１ａ　ギアの軸
１１２　歯付きドラム
１２０　ロータリーエンコーダ
１２１　ギア
１２２　歯付きドラム
１３０　ロータリーエンコーダ
１３１　ギア
１３２　歯付きドラム
【図１】
2004075074.tif 000003
【図２】
2004075074.tif 000004
【図３】
2004075074.tif 000005
【図４】
2004075074.tif 000006
【図５】
2004075074.tif 000007
【図６】
2004075074.tif 000008
【図７】
2004075074.tif 000009
【図８】
2004075074.tif 000010
【図９】
2004075074.tif 000011
【図１０】
2004075074.tif 000012
【図１１】
2004075074.tif 000013
【図１２】
2004075074.tif 000014
【図１３】
2004075074.tif 000015
【図１４】
2004075074.tif 000016
【図１５】
2004075074.tif 000017
【図１６】
2004075074.tif 000018
【図１７】
2004075074.tif 000019
【図１８】
2004075074.tif 000020
【図１９】
2004075074.tif 000021
【図２０】
2004075074.tif 000022
【図２１】
2004075074.tif 000023